(57)【要約】スペアエリア１２を部分スペアエリア１２Ａないし１２Ｄに分割し、ディフェクトリスト１５を部分ディフェクトリスト１５Ａないし１５Ｄに分割し、部分スペアエリア１２Ａないし１２Ｄと部分ディフェクトエリア１５Ａないし１５Ｄとを対応させる。ディフェクトが検出されたときには、それにより更新された部分ディフェクトリストのみを記録媒体１０のディフェクト管理エリア１３に追記する。
2004077433.tif 000002
【特許請求の範囲】
【請求項１】
追記型記録媒体であって、
記録データを記録するデータエリアと、
前記データエリアにおけるディフェクトが存在する場所に記録すべきであった記録データまたはその場所に記録された記録データを記録するスペアエリアと、
前記データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を記録するディフェクト管理エリアとを備え、
前記ディフェクトリストは複数の部分ディフェクトリストに分割されており、
前記複数の部分ディフェクトリストのうち少なくとも１個の部分ディフェクトリストには、最新の情報を保持している部分ディフェクトリストを特定するための指標となり得る指標情報が付加されていることを特徴とする追記型記録媒体。
【請求項２】
最新の前記指標情報が付加された前記１個の部分ディフェクトリストは、前記ディフェクト管理エリアに連続的に並んで記録された前記複数の部分ディフェクトリストの最後に配置されていることを特徴とする請求の範囲第１項に記載の追記型記録媒体。
【請求項３】
前記スペアエリアは複数の部分スペアエリアに分割されており、
前記部分ディフェクトリストのサイズは、前記部分スペアエリアに記録可能な前記記録データのブロックの個数に対応する個数のアドレス情報を記録可能なサイズを少なくとも有するであることを特徴とする請求の範囲第１項に記載の追記型記録媒体。
【請求項４】
前記データエリアへの記録・読取を制御する情報を記録する制御情報記録エリアをさらに備え、
前記ディフェクト管理エリアは、
前記制御情報記録エリアと前記データエリアとの間に配置され、前記ディフェクト管理情報を一時的に記録する一時的ディフェクト管理エリアと、前記制御情報記録エリア内に配置され、前記ディフェクト管理情報を確定的に記録する確定的ディフェクト管理エリアとを含むことを特徴とする請求の範囲第１項に記載の追記型記録媒体。
【請求項５】
前記ディフェクト管理情報は、前記データエリアと前記スペアエリアの位置を特定するための定義情報を含むことを特徴とする請求の範囲第１項に記載の追記型記録媒体。
【請求項６】
前記ディフェクト管理エリアに連続的に並んで記録された前記複数の部分ディフェクトリストのうち最後に配置された部分ディフェクトリストには、前記スペアエリアの空き領域の有無を示す空き領域情報が付加されていることを特徴とする請求の範囲第１項に記載の追記型記録媒体。
【請求項７】
（ｉ）記録データを記録するデータエリアと、（ｉｉ）前記データエリアにおけるディフェクトが存在する場所に記録すべきであった記録データまたはその場所に記録された記録データを記録するスペアエリアと、（ｉｉｉ）前記データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を記録するディフェクト管理エリアとを備え、前記ディフェクトリストは複数の部分ディフェクトリストに分割されている追記型記録媒体に前記記録データを記録する記録装置であって、
前記記録データを前記データエリアに記録する第１の記録手段と、
前記ディフェクト管理情報を記憶する記憶手段と、
前記データエリアのディフェクトを検出するディフェクト検出手段と、
前記ディフェクト検出手段により検出されたディフェクトが存在するデータエリア内の場所に記録すべき記録データを前記スペアエリア内に記録する第２の記録手段と、
前記ディフェクト検出手段により検出されたディフェクトが存在する位置、および当該ディフェクトが存在する場所に記録すべきであった記録データを記録した前記スペアエリア内の位置を示す情報を前記部分ディフェクトリストに記録することにより、当該部分ディフェクトリストを更新するリスト更新手段と、
前記記憶手段に記憶されたディフェクト管理情報に含まれる前記複数の部分ディフェクトリストの中から前記リスト更新手段により更新された部分ディフェクトリストを選択し、これを前記ディフェクト管理エリアに記録する第３の記録手段と
を備えていることを特徴とする記録装置。
【請求項８】
前記リスト更新手段により更新された部分ディフェクトリストに、最新の情報を保持している部分ディフェクトリストを特定するための指標となり得る指標情報を付加する指標情報付加手段とをさらに備え、
前記第３の記録手段は、前記リスト更新手段により更新された部分ディフェクトリストを前記指標情報と共に前記ディフェクト管理エリアに記録することを特徴とする請求の範囲第７項に記載の記録装置。
【請求項９】
前記追記型記録媒体のディフェクト管理エリアに記録された前記ディフェクト管理情報に含まれる前記複数の部分ディフェクトリストを前記指標情報の指標に基づいて特定し、これら特定された複数の部分ディフェクトリストを読み取り、これら読み取った複数の部分ディフェクトリストを結合して、１個のディフェクトリストを形成し、これを前記記憶手段に記憶させる読取手段をさらに備えていることを特徴とする請求の範囲第８項に記載の記録装置。
【請求項１０】
（ｉ）記録データを記録するデータエリアと、（ｉｉ）前記データエリアにおけるディフェクトが存在する場所に記録すべきであった記録データまたはその場所に記録された記録データを記録するスペアエリアと、（ｉｉｉ）前記データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を一時的に記録する一時的ディフェクト管理エリアと、（ｉｖ）前記ディフェクト管理情報を確定的に記録する確定的ディフェクト管理エリアとを備え、前記ディフェクトリストは複数の部分ディフェクトリストに分割されている追記型記録媒体に前記記録データを記録する記録装置であって、
前記記録データを前記データエリアに記録する第１の記録手段と、
前記ディフェクト管理情報を記憶する記憶手段と、
前記データエリアのディフェクトを検出するディフェクト検出手段と、
前記ディフェクト検出手段により検出されたディフェクトが存在するデータエリア内の場所に記録すべき記録データを前記スペアエリア内に記録する第２の記録手段と、
前記ディフェクト検出手段により検出されたディフェクトが存在する位置、および当該ディフェクトが存在する場所に記録すべきであった記録データを記録した前記スペアエリア内の位置を示す情報を前記部分ディフェクトリストに記録することにより、当該部分ディフェクトリストを更新するリスト更新手段と、
前記記憶手段に記憶されたディフェクト管理情報に含まれる前記複数の部分ディフェクトリストの中から前記リスト更新手段により更新された部分ディフェクトリストを選択し、これを前記一時的ディフェクト管理エリアに記録する第３の記録手段と
を備えていることを特徴とする記録装置。
【請求項１１】
前記リスト更新手段により更新された部分ディフェクトリストに、最新の情報を保持している部分ディフェクトリストを特定するための指標となり得る指標情報を付加する指標情報付加手段とをさらに備え、
前記第３の記録手段は、前記リスト更新手段により更新された部分ディフェクトリストを前記指標情報と共に前記一時的ディフェクト管理エリアに記録することを特徴とする請求の範囲第１０項に記載の記録装置。
【請求項１２】
前記追記型記録媒体の一時的ディフェクト管理エリアに記録された前記ディフェクト管理情報に含まれる前記複数の部分ディフェクトリストを前記指標情報の指標に基づいて特定し、これら特定された複数の部分ディフェクトリストを読み取り、これら読み取った複数の部分ディフェクトリストを結合して、１個のディフェクトリストを形成し、これを前記記憶手段に記憶させる読取手段をさらに備えていることを特徴とする請求の範囲第１１項に記載の記録装置。
【請求項１３】
前記記憶手段に記憶された前記１個のディフェクトリストを前記確定的ディフェクト管理エリアに記録する第４の記録手段をさらに備えていることを特徴とする請求の範囲第１２項に記載の記録装置。
【請求項１４】
前記追記型記録媒体に対しファイナライズを行うべき旨のファイナライズ命令を発するファイナライズ命令手段をさらに備え、
前記第４の記録手段は、前記ファイナライズ命令に応じて前記１個のディフェクトリストを前記確定的ディフェクト管理エリアに記録することを特徴とする請求の範囲第１３項に記載の記録装置。
【請求項１５】
コンピュータを請求の範囲第７項に記載の記録装置として機能させることを特徴とするコンピュータプログラム。
【請求項１６】
コンピュータを請求の範囲第１０項に記載の記録装置として機能させることを特徴とするコンピュータプログラム。
【請求項１７】
（ｉ）記録データを記録するデータエリアと、（ｉｉ）前記データエリアにおけるディフェクトが存在する場所に記録すべきであった記録データまたはその場所に記録された記録データを記録するスペアエリアと、（ｉｉｉ）前記データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を記録するディフェクト管理エリアとを備え、前記ディフェクトリストは複数の部分ディフェクトリストに分割されている追記型記録媒体に前記記録データを記録する記録方法であって、
前記ディフェクト管理情報を記憶する記憶工程と、
前記記録データを前記データエリアに記録する第１の記録工程と、
前記データエリアのディフェクトを検出するディフェクト検出工程と、
前記ディフェクト検出工程において検出されたディフェクトが存在するデータエリア内の場所に記録すべき記録データを前記スペアエリア内に記録する第２の記録工程と、
前記ディフェクト検出工程において検出されたディフェクトが存在する位置、および当該ディフェクトが存在する場所に記録すべきであった記録データを記録した前記スペアエリア内の位置を示す情報を前記部分ディフェクトリストに記録することにより、当該部分ディフェクトリストを更新するリスト更新工程と、
前記記憶工程において記憶されたディフェクト管理情報に含まれる前記複数の部分ディフェクトリストの中から前記リスト更新工程において更新された部分ディフェクトリストを選択し、これを前記ディフェクト管理エリアに記録する第３の記録工程と
を備えていることを特徴とする記録方法。
【発明の詳細な説明】
【技術分野】  本発明は、追記型記録媒体、追記型記録媒体に記録データを記録する記録装置および記録方法に関する。
【背景技術】  光ディスク、磁気ディスク、光磁気ディスク等の高密度記録媒体における記録データの記録および読取の信頼性を向上させるための技術として、ディフェクト管理がある。すなわち、記録媒体上に存在する傷もしくは塵埃、または記録媒体の劣化等（これらを総じて「ディフェクト」と呼ぶ。）が存在するときには、そのディフェクトが存在する場所に記録すべきデータまたは記録されたデータを、記録媒体上の他の領域（これを「スペアエリア」と呼ぶ。）に記録する。このように、ディフェクトにより記録不全または読取不全となるおそれがある記録データをスペアエリアに退避させることにより、記録データの記録および読取の信頼性を向上させることができる（特開平１１−１８５３９０号公報参照）。
一般に、ディフェクト管理を行うために、ディフェクトリストを作成する。ディフェクトリストには、記録媒体上に存在するディフェクトの位置を示すアドレス情報と、ディフェクトが存在する場所に記録すべきであったデータまたは記録されていたデータを退避させたスペアエリアの場所（例えばスペアエリア内の記録位置）を示すアドレス情報とが記録される。
一般に、ディフェクトリストの作成は、記録媒体をイニシャライズないしフォーマットするときに行われる。また、ディフェクトリストの作成は、記録データを当該記録媒体に記録し、かかる記録データをベリファイすることによりディフェクトが存在する場所を発見したときなどにも行われる。記録データの記録・書換が数度行われるときには、記録データの記録・書換が行われる度にディフェクトリストの作成または更新が行われる。
記録データを記録媒体に記録するときには、ディフェクトリストを参照する。これにより、ディフェクトの存在する場所を避けながら記録データを記録媒体に記録することができる。一方、記録媒体に記録された記録データを再生するときにも、ディフェクトリストを参照する。これにより、通常の記録領域に記録された記録データと、ディフェクトの存在によりスペアエリアに記録されている記録データとをディフェクトリストに基づいて確実に読み取ることができる。
ディフェクトリストは、一般に、そのディフェクトリストの作成または更新の対象となった記録媒体の特定の領域に記録される。そして、そのディフェクトリストは、次回、当該記録媒体に記録された記録データを再生するとき、または当該記録媒体に記録データを書き換えまたは追記するときに、当該記録媒体から読み取られ、記録装置による記録作業時または再生装置による再生作業時に参照される。
【発明の開示】
ところで、ディフェクトリストは記録媒体の特定の領域に記録される。例えばブルーレーザーを用いた書換可能（リライタブル）な光ディスクでは、ディフェクトリストは、ディスク上のリードインエリアまたはリードアウトエリアに確保された所定の領域（以下、これらをそれぞれ「ディフェクト管理エリア」と呼ぶ。）内に記録される。
上述したように、ディフェクトリストは、記録データの記録・書換が行われ、ディフェクトが存在する場所を発見したとき等に更新される。そして、ディフェクトリストは、記録データの記録・書換により更新される度に、当該記録・書換の対象となっている記録媒体のディフェクト管理エリアに上書きされる。すなわち、ディフェクト管理エリア内のディフェクトリストは、ディフェクトリストが更新されるごとに書き換えられる。
ところで、このようにディフェクトリストを書き換えることによってディフェクトリストの更新記録を実現することができるのは、記録媒体が書換可能な場合に限られる。記録媒体がいわゆる追記型記録媒体、例えばライトワンス型光ディスクである場合には、ディフェクトリストの更新記録を実現するために別の方法を用いる必要がある。例えば、ディフェクトリストの更新記録を実現する方法として、ディフェクトリストが更新される度に、その更新されたディフェクトリストを、追記型記録媒体の未記録の新たな領域に追記する方法が考えられる。
しかし、この方法によれば、ディフェクトリストが更新される度に、その更新されたディフェクトリストを追記するための領域を確保する必要がある。また、ディフェクトリストが更新される回数を予め予測しておき、その回数分のディフェクトリストを記録できる広範囲のディフェクト管理エリアを予め確保しておく必要がある。いずれにしても、追記型記録媒体においてディフェクトリストの更新記録を実現するためには、ディフェクトリストの書換が可能な場合と比較して、ディフェクトリストを記録するための領域（ディフェクト管理エリア）を広範囲に確保する必要が生じる。
この結果、追記型記録媒体のデータ構造が、書換型記録媒体のデータ構造と異なってしまい、記録媒体に記録されたデータを読み取ることに関して相互に互換性がとれなくなるという問題がある。例えば、リードインエリア内のディフェクト管理エリアを広くすると、リードインエリアが拡張し、追記型記録媒体と書換型記録媒体とでリードインエリアの範囲が異なってしまう。この結果、双方の記録媒体間で互換性がとれなくなり、例えば既存の書換型記録媒体用のドライブ装置で、追記型記録媒体を再生できないといった問題が生じ得る。
また、ディフェクトリスト管理エリアを広く確保すれば、その分、記録データを記録すべき記録面上の領域は小さくなり、記録データの記録容量が減少するという問題が生じる。
本発明は上記に例示したような問題点に鑑みなされたものであり、本発明の第１の課題は、ディフェクト管理機能を備え、書換型記録媒体と互換性のある追記型記録媒体、その追記型記録媒体に記録データを記録する記録装置および記録方法を提供することにある。
本発明の第２課題は、ディフェクト管理エリアを小さくすることができ、記録データの記録・読取の信頼性を高めながら、記録データの記録容量を増加させることができる追記型記録媒体、その追記型記録媒体に記録データを記録する記録装置および記録方法を提供することにある。
上記課題を解決するために本発明の追記型記録媒体は、追記型記録媒体であって、記録データを記録するデータエリアと、前記データエリアにおけるディフェクトが存在する場所に記録すべきであった記録データまたはその場所に記録された記録データを記録するスペアエリアと、前記データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を記録するディフェクト管理エリアとを備え、前記ディフェクトリストは複数の部分ディフェクトリストに分割されており、前記複数の部分ディフェクトリストのうち少なくとも１個の部分ディフェクトリストには、最新の情報を保持している部分ディフェクトリストを特定するための指標となり得る指標情報が付加されている。
上記課題を解決するために本発明の第１記録装置は、（ｉ）記録データを記録するデータエリアと、（ｉｉ）前記データエリアにおけるディフェクトが存在する場所に記録すべきであった記録データまたはその場所に記録された記録データを記録するスペアエリアと、（ｉｉｉ）前記データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を記録するディフェクト管理エリアとを備え、前記ディフェクトリストは複数の部分ディフェクトリストに分割されている追記型記録媒体に前記記録データを記録する記録装置であって、前記記録データを前記データエリアに記録する第１の記録手段と、前記ディフェクト管理情報を記憶する記憶手段と、前記データエリアのディフェクトを検出するディフェクト検出手段と、前記ディフェクト検出手段により検出されたディフェクトが存在するデータエリア内の場所に記録すべき記録データを前記スペアエリア内に記録する第２の記録手段と、前記ディフェクト検出手段により検出されたディフェクトが存在する位置、および当該ディフェクトが存在する場所に記録すべきであった記録データを記録した前記スペアエリア内の位置を示す情報を前記部分ディフェクトリストに記録することにより、当該部分ディフェクトリストを更新するリスト更新手段と、前記記憶手段に記憶されたディフェクト管理情報に含まれる前記複数の部分ディフェクトリストの中から前記リスト更新手段により更新された部分ディフェクトリストを選択し、これを前記ディフェクト管理エリアに記録する第３の記録手段とを備えている。
上記課題を解決するために本発明の第２記録装置は、（ｉ）記録データを記録するデータエリアと、（ｉｉ）前記データエリアにおけるディフェクトが存在する場所に記録すべきであった記録データまたはその場所に記録された記録データを記録するスペアエリアと、（ｉｉｉ）前記データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を一時的に記録する一時的ディフェクト管理エリアと、（ｉｖ）前記ディフェクト管理情報を確定的に記録する確定的ディフェクト管理エリアとを備え、前記ディフェクトリストは複数の部分ディフェクトリストに分割されている追記型記録媒体に前記記録データを記録する記録装置であって、前記記録データを前記データエリアに記録する第１の記録手段と、前記ディフェクト管理情報を記憶する記憶手段と、前記データエリアのディフェクトを検出するディフェクト検出手段と、前記ディフェクト検出手段により検出されたディフェクトが存在するデータエリア内の場所に記録すべき記録データを前記スペアエリア内に記録する第２の記録手段と、前記ディフェクト検出手段により検出されたディフェクトが存在する位置、および当該ディフェクトが存在する場所に記録すべきであった記録データを記録した前記スペアエリア内の位置を示す情報を前記部分ディフェクトリストに記録することにより、当該部分ディフェクトリストを更新するリスト更新手段と、前記記憶手段に記憶されたディフェクト管理情報に含まれる前記複数の部分ディフェクトリストの中から前記リスト更新手段により更新された部分ディフェクトリストを選択し、これを前記一時的ディフェクト管理エリアに記録する第３の記録手段とを備えている。
上記課題を解決するために本発明の第１コンピュータプログラムは、コンピュータを上述した本発明の第１記録装置（但し、その各種態様も含む）として機能させる。
上記課題を解決するために本発明の第２コンピュータプログラムは、コンピュータを上述した本発明の第２記録装置（但し、その各種態様も含む）として機能させる。
コンピュータ読取可能な媒体内の第１コンピュータプログラム製品は上記課題を解決するために、コンピュータにより実行可能なプログラム命令を明白に具現化し、該コンピュータを、上述した本発明の第１記録装置（但し、その各種態様も含む）として機能させる。
コンピュータ読取可能な媒体内の第２コンピュータプログラム製品は上記課題を解決するために、コンピュータにより実行可能なプログラム命令を明白に具現化し、該コンピュータを、上述した本発明の第２記録装置（但し、その各種態様も含む）として機能させる。
本発明の第１又は第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の第１又は第２記録装置を比較的容易に実施可能となる。更に具体的には、当該コンピュータプログラム製品は、コンピュータを上述した本発明の第１又は第２記録装置として機能させるコンピュータ読取可能なコード（或いはコンピュータ読取可能な命令）から構成されてよい。
上記課題を解決するために本発明の記録方法は、（ｉ）記録データを記録するデータエリアと、（ｉｉ）前記データエリアにおけるディフェクトが存在する場所に記録すべきであった記録データまたはその場所に記録された記録データを記録するスペアエリアと、（ｉｉｉ）前記データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を記録するディフェクト管理エリアとを備え、前記ディフェクトリストは複数の部分ディフェクトリストに分割されている追記型記録媒体に前記記録データを記録する記録方法であって、前記ディフェクト管理情報を記憶する記憶工程と、前記記録データを前記データエリアに記録する第１の記録工程と、前記データエリアのディフェクトを検出するディフェクト検出工程と、前記ディフェクト検出工程において検出されたディフェクトが存在するデータエリア内の場所に記録すべき記録データを前記部分スペアエリア内に記録する第２の記録工程と、前記ディフェクト検出工程において検出されたディフェクトが存在する位置、および当該ディフェクトが存在する場所に記録すべきであった記録データを記録した前記スペアエリア内の位置を示す情報を前記部分ディフェクトリストに記録することにより、当該部分ディフェクトリストを更新するリスト更新工程と、前記記憶工程において記憶されたディフェクト管理情報に含まれる前記複数の部分ディフェクトリストの中から前記リスト更新工程において更新された部分ディフェクトリストを選択し、これを前記ディフェクト管理エリアに記録する第３の記録工程とを備えている。
本発明のこのような作用、及び他の利得は次に説明する実施形態及び実施例から明らかにされる。
【図面の簡単な説明】  図１は、本発明の追記型記録媒体の第１実施形態を示す説明図である。
図２は、第１実施形態における部分ディフェクトリストおよび指標情報を示す説明図である。
図３は、第１実施形態におけるディフェクト管理エリア内の状態を示す説明図である。
図４は、第１実施形態におけるディフェクト管理エリア内の状態を示す説明図である。
図５は、本発明の追記型記録媒体の第２実施形態を示すブロック図である。
図６は、本発明の記録装置の第１実施形態を示すブロック図である。
図７は、本発明の記録装置の第１実施形態の各種態様を示すブロック図である。
図８は、本発明の記録装置の第２実施形態を示すブロック図である。
図９は、本発明の記録装置の第２実施形態の各種態様を示すブロック図である。
図１０は、本発明の追記型記録媒体の実施例を示す説明図である。
図１１は、実施例における記録媒体のユーザデータエリアおよびスペアエリアを拡大して示す説明図である。
図１２は、実施例におけるディフェクトリストを示す説明図である。
図１３は、実施例における部分ディフェクトリストの内容の一例を示す説明図である。
図１４は、本発明の記録装置および再生装置の実施例である記録再生装置を示すブロック図である。
図１５は、実施例の記録再生装置のディスクドライブを示すブロック図である。
図１６は、実施例の記録再生装置のバックエンドを示すブロック図である。
図１７は、実施例の記録再生装置における初期設定動作を示すフローチャートである。
図１８は、実施例の記録再生装置における記録動作等を示すフローチャートである。
図１９は、実施例の記録再生装置におけるファイナライズ処理を示すフローチャートである。
図２０は、実施例の記録再生装置におけるイジェクト時の動作を示すフローチャートである。
図２１は、実施例の記録再生装置における再生動作を示すフローチャートである。
図２２は、本発明の追記型記録媒体の他の実施例を示す説明図である。
【発明を実施するための最良の形態】  以下、本発明の実施の形態を図面に基づいて説明する。
（追記型記録媒体の第１実施形態）
本発明の追記型記録媒体の第１実施形態について図面を参照して説明する。なお、本発明の実施形態の説明に用いる図面は、本発明の記録媒体または記録装置の構成要素等を、その技術思想を説明する限りにおいて具体化したものであり、各構成要素等の形状、大きさ、位置、接続関係などは、これに限定されるものではない。
図１は本発明の追記型記録媒体の第１実施形態の記録構造を示している。図１に示す追記型記録媒体１０は、例えば、光ディスク、磁気ディスク、光磁気ディスク、誘電体記録ディスクなどであり、ディスク状の記録媒体に限らす、カード状でもよい。記録媒体１０は、記録データを各位置に１度のみ記録可能な追記型記録媒体であり、例えばライトワンス型の記録媒体である。
記録媒体１０は、図１に示すように、データエリア１１と、スペアエリア１２と、ディフェクト管理エリア１３とを備えている。
データエリア１１は、記録データを記録するための領域である。記録データとは、画像データ、音声データ、コンテンツデータ、コンピュータプログラムなど、再生ないし実行の対象となるデータである。
スペアエリア１２は、データエリア１１におけるディフェクトが存在する場所に記録すべきであった記録データまたはその場所に記録された記録データを記録する領域である。
スペアエリア１２は、複数の部分スペアエリアに分割されている。図１は、スペアエリア１２が４個の部分スペアエリア１２Ａ、１２Ｂ、１２Ｃおよび１２Ｄに分割された例を示している。なお、スペアエリア１２の分割とは、概念的に分割することを意味し、必ずしも物理的または場所的に分割することを意味しない。例えば、記録媒体１０の記録面上の１個の連続した領域として存在しているスペアエリアを複数の部分的スペアエリアに概念的に分割してもよい。また、記録媒体１０の記録面上の複数箇所にそれぞれ相互に離れた状態で配置されている複数のスペアエリアがある場合（例えばディスクの内周側と外周側にそれぞれスペアエリアが配置されている場合など）には、これら分散配置されている複数のスペアエリアをそれぞれ部分スペアエリアとして取り扱ってもよい。さらに、このように分散配置されている複数のスペアエリアのそれぞれをさらに分割し、分割した個々のエリアを部分スペアエリアとしてもよい。
ディフェクト管理エリア１３は、データエリア１１におけるディフェクトが存在する位置、および当該ディフェクトが存在する場所に記録すべきであった記録データまたはその場所に記録された記録データを記録したスペアエリア１２内の位置を示すディフェクトリスト１５を含むディフェクト管理情報１４を記録する領域である。
ディフェクトリスト１５は複数の部分ディフェクトリストに分割されており、これら複数の部分ディフェクトリストは、複数の部分スペアエリアと対応している。例えば、部分ディフェクトリストの個数と部分スペアエリアの個数は一致している。また、各部分ディフェクトリストのサイズは、それに対応する部分スペアエリアのサイズとの関係で決定される。例えば、部分スペアエリアのサイズが大きければ、その部分スペアエリアには多くの記録データが記録されることが予定されているので、その部分スペアエリアに対応する部分ディフェクトリストに記録される情報（例えばスペアエリア内に記録された記録データのアドレス情報）も多くなり、そのため、当該部分ディフェクトリストのサイズも大きくなる。図１の例では、ディフェクトリスト１５が４個のディフェクトリスト１５Ａ、１５Ｂ、１５Ｃおよび１５Ｄに分割され、これら部分ディフェクトリスト１５Ａないし１５Ｄが部分スペアエリア１２Ａないし１２Ｄにそれぞれ対応している。
さらに、複数の部分ディフェクトリストのうち少なくとも１個の部分ディフェクトリストには、最新の情報を保持している部分ディフェクトリストを特定するための指標となり得る指標情報が付加されている。図２は指標情報が最後の部分ディフェクトリスト１５Ｄに付加された例を示している。図２に示す指標情報１６は、部分ディフェクトリスト１５Ｄを除く、最新の情報を保持している残余の部分ディフェクトリスト１５Ａないし１５Ｃを特定するための指標となる。例えば、部分ディフェクトリスト１５Ａないし１５Ｃのそれぞれに識別子が付されている場合には、それら識別子を指標情報１６として部分ディフェクトリスト１５Ｄに付加してもよい。なお、指標情報１６は、識別子に限らず、個々の部分ディフェクトリストを示すアドレス情報でもよく、個々の部分ディフェクトリストを特定可能な個性的な他の情報でもよい。また、指標情報１６は、最新の情報を保持している自らの部分ディフェクトリスト（図２であれば、部分ディフェクトリスト１５Ｄ）を特定するための情報を含んでいても良い。
以下、図１に示す追記型記録媒体１０の各領域の利用方法およびディフェクト管理情報１４の作成・更新の具体例を説明する。
まず、記録装置により記録媒体１０をイニシャライズないしフォーマットするとき、データエリア１１、スペアエリ１２およびディフェクト管理エリア１３のそれぞれの配置およびサイズが決定される。なお、これらの領域のうちすべてまたはいずれかがプリフォーマットされている場合もある。さらに、イニシャライズまたはフォーマットのときに、ディフェクト管理情報１４が作成される。具体的には、部分スペアエリア１２Ａないし１２Ｄに対応するように、部分ディフェクトリスト１５Ａないし１５Ｄに分割されたディフェクトリスト１５が作成される。このとき、個々の部分ディフェクトリストの特定を容易にするために、部分ディフェクトリスト１５Ａないし１５Ｄにそれぞれ識別子を付すことが望ましい。さらに、部分ディフェクトリスト１５Ｄには指標情報１６が付加される。ディフェクト管理情報１４の作成は記録装置内に設けられた記憶手段（例えばメモリ）内で行われる。作成されたディフェク管理情報１４は、当該メモリから読み取られ、記録装置により、記録媒体１０のディフェクト管理エリア１３に記録される。図１はこの状態を示している。
次に、記録装置により、記録媒体１０に記録データを記録するときには、まず、記録装置により、記録の準備作業が行われる。はじめに、記録媒体１０のディフェクト管理エリア１３に記録されたディフェクト管理情報１４が記録装置により読み取られ、記録装置内のメモリに記憶される。なお、イニシャライズないしフォーマットが終了した後に続けて記録データの記録を行うときには、メモリ内にディフェクト管理情報１４が存在しているので、このような読取作業は行わない。記録準備が整った後、記録媒体１０に記録データが記録される。記録データの記録時にはベリファイが行われる。ベリファイの結果、記録データの記録不全が判明したときには、その記録データを記録すべきであった場所にディフェクトが存在すると推測される。このようにベリファイの結果に基づいてディフェクトが検出されたとき、その記録データはスペアエリア１２内に記録される。このとき、記録すべき記録データのサイズが１個の部分スペアエリアのサイズよりも小さい場合には、その記録データは１個の部分スペアエリア内に記録される。ここで、例えばその記録データが部分スペアエリア１２Ａに記録されたとする。
記録データが部分スペアエリア１２Ａに記録されたとき、ディフェクトの存在する位置（例えばアドレス情報）と、当該記録データを記録した部分スペアエリア１２Ａ内の位置（例えばアドレス情報）とが取得され、これらが、部分スペアエリア１２Ａに対応する部分ディフェクトリスト１５Ａに記録される。これにより、記録装置のメモリ内に記録されている部分ディフェクトリスト１５Ａが更新される。
一連の記録データの記録が完了した後、記録装置のメモリに記憶された部分ディフェクトリスト１５Ａないし１５Ｄのうち、更新された部分ディフェクトリスト１５Ａのみが読み取られ、これが記録媒体１０のディフェクト管理エリア１３に追記される。なお、部分ディフェクトリスト１５Ｂないし１５Ｄについては、更新されていないので記録媒体１０のディフェクト管理エリア１３への追記は行われない。
部分ディフェクトリスト１５Ａが記録媒体１０のディフェクト管理エリア１３に記録される前に、部分ディフェクトリスト１５Ａに指標情報１６が付加される。この指標情報１６は、部分ディフェクトリスト１５Ｂ、１５Ｃおよび１５Ｄに付された識別子を示す情報である。部分ディフェクトリスト１５Ａのディフェクト管理エリア１３への追記の際には、この指標情報１６もいっしょに追記される。
図３は、以上の更新作業により、部分ディフェクトリスト１５Ａおよび指標情報１６が追記されたディフェクト管理エリア１３内の状態を示している。記録媒体１０は追記型なので情報の上書きができない。そこで、部分ディフェクトリスト１５Ａは、前回、最後に記録された部分ディフェクトリスト１５Ｄの隣の未記録領域に連続的に記録される。
後日、当該記録媒体１０に対して、２度目の記録データの記録を行うとき、記録媒体１０を記録装置に装着すると、記録装置により、まず、記録の準備作業が行われる。はじめに、記録媒体１０のディフェクト管理エリア１３に記録された複数の部分ディフェクトリストのうち、最後に配置された部分ディフェクトリスト１５Ａ、すなわち図３中の右側に配置された部分ディフェクトリスト１５Ａに付加された指標情報１６が認識され、その指標情報１６が指し示す部分ディフェクトリスト１５Ｂ、１５Ｃおよび１５Ｄの記録位置が認識される。続いて、最後に配置された部分ディフェクトリスト１５Ａと、部分ディフェクトリスト１５Ｂ、１５Ｃおよび１５Ｄとがディフェクト管理エリア１３から読み取られ、記録装置のメモリに記憶される。記録準備作業が完了すると、記録データの記録が行われる。記録作業中に新たなディフェクトが検出されたときには、ディフェクトが存在する場所に記録すべき記録データがいずれかの部分スペアエリアに記録される。例えば、その記録データが部分スペアエリア１２Ｂに記録された場合には、記録装置のメモリ内において、部分スペアエリア１２Ｂに対応する部分ディフェクトリスト１５Ｂに新たなアドレス情報が記録され、これにより部分ディフェクトリスト１５Ｂが更新される。そして、記録作業が完了した後、更新された部分ディフェクトリスト１２Ｂのみが記録装置のメモリから読み出され、これに指標情報１６が付加される。続いて、部分ディフェクトリスト１２Ｂおよび指標情報１６は、記録媒体１０のディフェクト管理エリア１３に追記される。この結果、記録媒体１０のディフェクト管理エリア１３は、図４に示すような状態となる。
以上より、本実施形態の記録媒体１０によれば、スペアエリア１２を部分スペアエリア１２Ａないし１２Ｄに分割し、ディフェクトリスト１５を部分ディフェクトリスト１５Ａないし１５Ｄに分割し、部分スペアエリア１２Ａないし１２Ｄと部分ディフェクトリスト１５Ａないし１５Ｄとをそれぞれ対応させる構成としたから、ディフェクトが検出されたときには、その結果新たな記録データが記録された部分スペアエリアに対応する部分ディフェクトリスト（すなわち更新された部分ディフェクトリスト）のみを記録媒体１０に追記するだけでよい。すなわち、ディフェクトが検出され、ディフェクトリスト１５が更新されたときに、更新されたディフェクトリスト１５全体を記録媒体１０に追記する必要がない。したがって、ディフェクト管理情報１４の更新により記録媒体１０に追記する情報量を少なくすることができる。この結果、記録媒体１０上に確保すべきディフェクト管理エリア１３を小さくすることができる。よって、追記型記録媒体１０においてディフェクト管理を実現しながら、データエリア１１を広く確保することが可能となり、記録データの記録容量を増加させることができる。
また、本実施形態の追記型記録媒体１０によれば、記録媒体１０上に確保すべきディフェクト管理エリア１３を小さくすることができるので、記録媒体１０のリードインエリアを拡張することなく、ディフェクト管理エリア１３をこのリードインエリアに配置することができる。すなわち、書換型光ディスクの場合、一般に、ディフェクト管理エリアはリードインエリア内に配置されており、ディフェクト管理情報の更新は、ディフェクト管理エリア内に記録されたディフェクト管理情報を書き換えることにより行われる。ディフェクト管理情報の書換が可能である以上、ディフェクト管理エリアは、例えば１個のディフェクトリストが納まる程度のサイズであれば足りる。これに対し、追記型記録媒体の場合、ディフェクト管理情報の更新を実現するためには、ディフェクト管理情報を追記しなければならず、その結果、更新に備えてディフェクト管理エリアを広く確保する必要がある。この結果、広いディフェクト管理エリアをリードインエリアに確保するとすれば、リードインエリアを拡張せざるを得ない。しかし、本実施形態の追記型記録媒体１０によれば、ディフェクト管理エリアを比較的狭くできるので、ディフェクト管理エリアをリードインエリア内に配置しても、リードインエリアを拡張せずに済む。本実施形態の追記型記録媒体１０によれば、リードインエリアを拡張せずに、ディフェクト管理エリア１３をリードインエリア内に配置することができるので、追記型記録媒体１０と一般の書換型記録媒体との互換性をとることができる。
（追記型記録媒体の第１実施形態の各種態様）
本発明の追記型記録媒体の第１実施形態の各種態様について説明する。
まず、第１態様について説明する。上述したように、複数の部分ディフェクトリストのうち少なくとも１個の部分ディフェクトリストには指標情報が付加されている。この指標情報が付加された部分ディフェクトリストは、ディフェクト管理エリア内のどの位置に配置してもよい。しかし、指標情報が付加された部分ディフェクトリストを、ディフェクト管理エリアに連続的に並んで記録された前記複数の部分ディフェクトリストの最後に配置することが好ましい。図２の例では、指標情報１６が付加された部分ディフェクトリスト１５Ｄがディフェクト管理エリア内の最後に配置されている。ディフェクト管理エリア内で最後に配置された部分ディフェクトリストを検出することができれば、その部分ディフェクトリストに付加された指標情報を参照して、最新の情報を保持している部分ディフェクトリストを特定することができる。ディフェクト管理エリア内の最後に配置されている部分ディフェクトリストの検出は、比較的簡単な方法で実現することができる。例えば、ディフェクト管理エリア内の最後に配置されている部分ディフェクトリストに続く領域は未記録状態であるので、情報の記録された部分と未記録部分との境界を見つけることができれば、最後に配置されている部分ディフェクトリストを容易に検出することができる。情報の記録された部分と未記録部分との境界は、例えば読取信号（例えばＲＦ信号）の変化を調べれば簡単に見つけることができる。
次に、第２態様について説明する。上述したように、部分ディフェクトリストは部分スペアエリアとそれぞれ対応しており、各部分ディフェクトリストのサイズは、それに対応する部分スペアエリアのサイズとの関係で決定される。具体的には、各部分ディフェクトリストのサイズは、それに対応する部分スペアエリアに記録可能な記録データのブロックの個数に対応する個数のアドレス情報を記録可能なサイズであることが好ましい。これにより、各部分ディフェクトリストのサイズを小さくすることができる。
次に、第３態様について説明する。ディフェクト管理エリアに連続的に並んで記録された複数の部分ディフェクトリストのうち最後に配置された部分ディフェクトリストには、スペアエリアの空き領域の有無を示す空き領域情報が付加してもよい。これにより、最後に配置された部分ディフェクトリストを読み取り、それに付加された空き領域情報を参照すれば、スペアエリアの空き領域の有無を知ることができる。例えば、記録装置によりディフェクト検出を行う前に、この空き領域情報を確認し、スペアエリアに空き領域があれば、ディフェクト検出を行い、そうでなければディフェクト検出を行わないといった処理が可能となり、ディフェクト検出を効率よく行うことができる。
（追記型記録媒体の第２実施形態）
本発明の追記型記録媒体の第２実施形態について説明する。図５は本発明の追記型記録媒体の第２実施形態の記録構造を示している。図５に示す追記型記録媒体２０は、ディスク状記録媒体であり、図５中の左側がディスクの内周側を示している。追記型記録媒体２０は、追記型記録媒体１０と同様に、データエリア１１およびスペアエリア１２を備えている。さらに、記録媒体２０は、データエリアへの記録・読取を制御する情報を記録する制御情報記録エリア２１を備えている。さらに、記録媒体２０は、制御情報記録エリア２１とデータエリア１１との間に配置され、ディフェクト管理情報を一時的に記録する一時的ディフェクト管理エリア２２と、制御情報記録エリア２１内に配置され、ディフェクト管理情報を確定的に記録する確定的ディフェクト管理エリア２３とを備えている。
制御情報記録エリア２１は、例えば光ディスクの場合にはリードインエリアまたはリードアウトエリアである。図５では、制御情報記録エリア２１がディスクの内周側に存在する場合を例に挙げているが、制御情報記録エリア２１はディスクの外周側など他の場所に配置されていてもよい。
記録媒体２０上には、一時的ディフェクト管理エリア２２と確定的ディフェクト管理エリア２３とがあり、これら２種類のディフェクト管理エリアは、いずれも、ディフェクト管理情報を記録するための領域である。しかし、これら２種類のディフェクト管理エリアは、それぞれ個別的な目的をもって設けられたものであり、両者の物理的構造も相互に異なる。
一時的ディフェクト管理エリア２２は、ディフェクト管理情報を一時的に記録するための領域である。例えば、一時的ディフェクト管理エリア２２は、記録媒体２０がファイナライズされるまでの間、ディフェクト管理情報を記録するための領域である。具体的には、記録媒体２０のイニシャライズまたはフォーマット時にディフェクト管理情報が作成された場合には、そのディフェクト管理情報は一時的ディフェクト管理エリア２２に記録される。また、記録データの記録時にディフェクト管理情報が更新されたときには、そのディフェクト管理情報（部分ディフェクトリスト）は一時的ディフェクト管理エリア２２に記録される。
一時的ディフェクト管理エリア２２は、確定的ディフェクト管理エリアと比較して広い領域である。これは、ディフェクト管理情報が数度更新された場合に、その更新された回数に応じた複数の部分ディフェクトリストを記録するためである。
一時的ディフェクト管理エリア２２は、制御情報記録エリア２１とデータエリア１１との間に配置されている。上述したように、ディフェクト管理情報を更新するときに、更新の必要のある部分ディフェクトリストのみを記録媒体に追記する構成とすれば、ディフェクト管理エリアのサイズを小さくすることができ、したがって、リードインエリアを拡張することなしにディフェクト管理エリアをリードインエリアに配置することが可能である。しかし、記録媒体が追記型である以上、ディフェクト管理エリアは、書換型の場合と比較して広く確保しなければならない。さらに、記録データの記録・再生の信頼性をより一層高めるためには、スペアエリアを広くすることが望ましく、これに伴い部分ディフェクトリストのサイズも大きくなる。よって、記録データの記録・再生の信頼性をより一層高めるためには、ディフェクト管理エリアを広くすることが望ましい。かかる要請を考慮すると、リードインエリアを拡張せずにディフェクト管理エリアをリードインエリアに配置することは困難となる。しかし、第２実施形態の記録媒体２０では、一時的ディフェクト管理エリア２２を制御情報記録エリア２１の外に配置したので、制御情報記録エリア２１を拡張することなく、一時的ディフェクト管理エリア２２を確保することができる。また、一時的ディフェクト管理エリア２２に記録される情報はディフェクト管理情報であり、これはその性質上、記録データではなく、制御情報である。したがって、一時的ディフェクト管理エリア２２を、記録データを記録するための領域であるデータエリア１１内に配置することは好ましくない。本実施形態では、一時的ディフェクト管理エリア２２をデータエリア１１の外に配置したので、このような好ましくない状態を避けることができる。
そして、このように、一時的ディフェクト管理エリア２２を、制御情報記録エリア２１とデータエリア１１との間に配置することにより、一時的ディフェクト管理エリア２２を、制御情報記録エリアを拡張せず、また、データエリア１１内に配置することなく、記録媒体２０上に設けることができるので、追記型記録媒体２０と、一般の書換型記録媒体との間の互換性をとることができる。
一方、確定的ディフェクト管理エリア２３は、ディフェクト管理情報を確定的に記録するための領域である。例えば、確定的ディフェクト管理エリア２３は、記録媒体２０がファイナライズされ、これ以上ディフェクト管理情報が更新されず、ディフェクト管理情報の内容が確定されたときに、そのディフェクト管理情報を記録するための領域である。例えば、ユーザが記録装置にファイナライズを行う旨の指示を入力すると、記録装置は、その内部に設けられたメモリ内に記憶された最新のディフェクト管理情報を確定的ディフェクト管理エリア２３に記録する。
確定的ディフェクト管理エリア２３は、一時的ディフェクト管理エリア２２と比較して狭い領域である。これは、内容が確定した少なくとも１個のディフェクト管理情報を記録することが可能であればよいからである。
確定的ディフェクト管理エリア２３は、制御情報記録エリア２１内に配置されている。一般に普及している書換型記録媒体はディフェクト管理エリアを制御情報記録エリア内に配置しているものが多い。また、これから開発される書換型記録媒体もディフェクト管理エリアは制御情報エリア内に配置されるものが多いことが予想される。その理由は、ディフェクト管理エリア内に記録すべきディフェクト管理情報は、その性質上、制御情報に属し、主としてドライブ装置の動作制御に直接的に用いられる情報であるので、他の制御情報と共に制御情報記録エリアに記録するのが合理的・効率的だからである。もう一つ理由をあげると、書換可能な記録媒体であれば、ディフェクト管理情報が何度更新されても、その更新されたディフェクト管理情報をディフェクト管理エリア内の同じ場所に上書きすればよいので、制御情報記録エリア内に、少なくとも１セットのディフェクト管理情報を記録可能な比較的狭いディフェクト管理エリアを確保すればよく、制御情報記録エリアを拡張する必要はないからである。本実施形態では、確定的ディフェクト管理エリア２３を制御情報記録エリア２１内に配置することにより、このような一般の書換型記録媒体と同様の構造を採用している。これにより、追記型記録媒体２０と、一般の書換型記録媒体との間で、互換性をとることができる。
以上より、記録媒体２０によれば、一時的ディフェクト管理エリア２２を制御情報記録エリア２１とデータエリア１１との間に配置したから、記録媒体２０が追記型であるにもかかわらず、一般の書換型記録媒体と互換性をとることができ、記録媒体２０に記録した記録データを一般の書換型記録媒体用の再生装置等により正確に再生させることができる。
また、一時的ディフェクト管理エリア２２を制御情報記録エリア２１とデータエリア１１との間に配置したので、一時的ディフェクト管理エリア２２を広く確保することも可能である。
なお、一時的ディフェクト管理エリア２２を広くすれば、その分、データエリア１１が狭くなり、記録データの記録容量が減少するという不都合が生じる。しかし、本実施形態の記録媒体２０は、更新の必要がある部分ディフェクトリストのみを一時的ディフェクト管理エリア２２に追記する構成としたから、ディフェクトリスト全体を追記する場合と比較して、追記する情報量を少なくすることができ、一時的ディフェクト管理エリア２２のサイズを小さくすることができる。したがって、記録データの記録・再生の信頼性の向上と記録データの記録容量の確保との調和を図ることができる。
（追記型記録媒体の第２実施形態の各種態様）
本発明の追記型記録媒体の第２実施形態の各種態様について説明する。上述したように、ディフェクト管理情報にはディフェクトリストが含まれている。これに加え、ディフェクト管理情報に、データエリアとスペアエリアの位置を特定するための定義情報を含めてもよい。
一般に、既存の書換型記録媒体の制御情報記録エリア内にあるディフェクト管理エリアには、データエリアの位置を示す位置情報が記録されている。そして、当該書換型記録媒体用の再生装置は、この位置情報を読み取って当該記録媒体のデータエリアの位置を把握する。そうだとすれば、記録装置２０の記録の対象となる追記型記録媒体の確定的ディフェクト管理エリア２３内に、この位置情報と同種の情報を記録すれば、追記型記録媒体を、書換型記録媒体用の再生装置で再生することが可能となる。そこで、本態様では、ディフェクト管理情報に、データエリア１１の位置を示す定義情報を含めている。ファイナライズが行われ、定義情報を含むディフェクト管理情報が記録媒体２０の確定的ディフェクト管理エリア２３に記録されると、その後、記録媒体２０は、書換型記録媒体用の再生装置で再生することが可能となる。
書換型記録媒体用の再生装置は、追記型記録媒体の確定的ディフェクト管理エリアに記録された定義情報を読み取り、この定義情報に基づいて当該追記型記録媒体のデータエリアの位置を把握する。したがって、追記型記録媒体のデータエリアの位置は、その位置情報を定義情報として最終的に確定的ディフェクト管理エリアに記録しておけば、論理的には自由に設定することができる（もっとも実際には規格等による制限がある）。そうだとすれば、例えば当該追記型記録媒体をイニシャライズまたはフォーマットするときに、一時的ディフェクト管理エリアを広く確保し、その分、データエリアの開始アドレスを後ろにずらすといったことも可能となる。これにより、追記型記録媒体と書換型記録媒体との再生に関する互換性を維持しながら、一時的ディフェクト管理エリアを広く確保することができる。
（記録装置の第１実施形態）
本発明の記録装置の第１実施形態について説明する。図６は本発明の記録装置の第１実施形態を示している。図６に示す記録装置３０は、記録データを各位置に１度のみ記録可能であって、（ｉ）記録データを記録するデータエリアと、（ｉｉ）データエリアにおけるディフェクトが存在する場所に記録すべきであった記録データまたはその場所に記録された記録データを記録するスペアエリアと、（ｉｉｉ）データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を記録するディフェクト管理エリアとを備え、スペアエリアは複数の部分スペアエリアに分割されており、ディフェクトリストは複数の部分ディフェクトリストに分割されており、複数の部分スペアエリアと複数の部分ディフェクトリストとはそれぞれ対応している追記型記録媒体に前記記録データを記録する装置である。例えば、記録装置３０は上述した記録媒体１０に記録データを記録する装置として好適である。
記録装置３０は、図６に示すように、第１の記録手段３１と、記憶手段３２と、ディフェクト検出手段３３と、第２の記録手段３４と、リスト更新手段３５と、第３の記録手段３６とを備えている。
第１の記録手段３１は、記録データをデータエリアに記録する手段である。第１の記録手段３１は、例えば記録媒体が光ディスクである場合には、光ピックアップとそれを制御するためのコントローラ等によって実現することができる。なお、記録媒体が光学式の記録媒体である場合には、データないし情報を記録媒体に直接的に記録する手段として光ピックアップが好適であるが、記録媒体が磁気式、光磁気式、誘電率の変化を利用したものなどの他の方式のものである場合には、その記録媒体の方式に適したピックアップ、ヘッドまたはプローブ等を用いればよい。
記憶手段３２は、ディフェクト管理情報を記憶する手段である。記憶手段３２は、例えばメモリ等により実現することができる。
ディフェクト検出手段３３は、データエリアのディフェクトを検出する手段である。ディフェクト検出の方法としては、例えば記録時のベリファイを利用する方法がある。すなわち、記録データ１ブロックをデータエリアに記録した直後にその１ブロックの記録データを読み取り、記録が正常に行われたか否かを調べる。このとき、記録データの記録不全が判明したときには、その記録データを記録したまたは記録すべきであった場所にはディフェクトが存在することが推測される。このように、ベリファイの結果をチェックすることにより、ディフェクトを検出することができる。
第２の記録手段３４は、ディフェクト検出手段３３により検出されたディフェクトが存在するデータエリア内の場所に記録すべき記録データをいずれかの部分スペアエリア内に記録する手段である。
リスト更新手段３５は、ディフェクト検出手段３３により検出されたディフェクトが存在する位置、および当該ディフェクトが存在する場所に記録すべきであった記録データを記録した部分スペアエリア内の位置を示す情報（例えばアドレス情報）を当該部分スペアエリアに対応する部分ディフェクトリストに記録することにより、当該部分ディフェクトリストを更新する手段である。
第３の記録手段３６は、記憶手段３２に記憶されたディフェクト管理情報に含まれる複数の部分ディフェクトリストの中からリスト更新手段３５により更新された部分ディフェクトリストを選択し、これをディフェクト管理エリアに記録する手段である。なお、第１、第２および第３の記録手段３１、３４、３６を構成するハードウェアは、それぞれ別個に複数セット設けてもよいが、通常は１セットあれば足りる。例えば、１個の光ピックアップとコントローラを設け、コントローラを制御するためのソフトウェアを各記録手段に対応して２通り設ければよい。
以下、記録装置３０の動作について説明する。追記型記録媒体に記録データを記録するとき、ユーザはこの記録媒体を記録装置３０に装着する。記録媒体のディフェクト管理エリアにディフェクト管理情報が記録されているときには、記録装置３０はこれを読み取り、記憶手段３２に記憶させる。また、記録媒体がイニシャライズまたはフォーマットされていないときには、記録装置３０は記録媒体をイニシャライズまたはフォーマットし、そのときにディフェクト管理情報を作成し、これを記録媒体のディフェクト管理エリアに記憶すると共に、これを記録手段３２に保持する。
続いて、第１の記録手段３１は、記録データを記録媒体のデータエリアに記録する。記録データの記録の際にはベリファイが行われる。ディフェクト検出手段３３は、ベリファイの結果に基づいて、データエリアのディフェクトを検出する。ディフェクトが検出されたときには、第２の記録手段３４は、そのディフェクトが存在するデータエリア内の場所に記録すべきであった記録データをいずれかの部分スペアエリアに記録する。続いて、リスト更新手段３５は、当該ディフェクトが存在する位置、および当該ディフェクトが存在する場所に記録すべきであった記録データを記録した部分スペアエリア内の位置を示す情報を当該部分スペアエリアに対応する部分ディフェクトリストに記録し、これにより、当該部分ディフェクトリストを更新する。
続いて、第１の記録手段３２による記録データの記録が終了したときに、第３の記録手段３６は、記憶手段３２に記憶されたディフェクト管理情報に含まれる複数の部分ディフェクトリストの中からリスト更新手段３５により更新された部分ディフェクトリストを選択し、これをディフェクト管理エリアに記録する。
以上より、記録装置３０によれば、更新された部分ディフェクトリストのみを選択し、これをディフェクト管理エリアに記録する構成としたから、ディフェクト管理エリアに記録する情報量を小さくすることができる。これにより、記録媒体にディフェクト管理エリアを広く設ける必要がなくなり、上述したように、記録容量の確保、および追記型記録媒体と書換型記録媒体との互換性を実現することができる。
（記録装置の第１実施形態の各種態様）
本発明の記録装置の第１実施形態の各種態様について説明する。図７は本発明の記録装置の第１実施形態の各種態様を示している。
まず、第１態様について説明する。図７に示す記録装置４０のように、記録装置３０の各構成要素に加え、指標情報付加手段４１を備えてもよい。指標情報付加手段４１は、リスト更新手段３５により更新された部分ディフェクトリストに、最新の情報を保持している部分ディフェクトリストを特定するための指標となり得る指標情報を付加する手段である。この場合、第３の記録手段３６は、リスト更新手段３５により更新された部分ディフェクトリストを指標情報と共にディフェクト管理エリアに記録する。
指標情報は、最新の情報を保持している部分ディフェクトリストを特定するための指標となる。そのため、指標情報を参照すれば、ディフェクト管理エリア内に記録された複数の部分ディフェクトリストの中から、最新の情報を保持している部分ディフェクトリストを特定し、それらを読み取って１個のディフェクトリストに結合することが可能となる（図３または図４参照）。
次に、第２態様について説明する。図７に示す記録装置４０のように、記録装置３０の各構成要素に加え、読取手段４２をさらに追加してもよい。読取手段４２は、記録媒体のディフェクト管理エリアに記録されたディフェクト管理情報に含まれる複数の部分ディフェクトリストを指標情報の指標に基づいて特定し、これら特定された複数の部分ディフェクトリストを読み取り、これら読み取った複数の部分ディフェクトリストを結合して、１個のディフェクトリストを形成し、これを記憶手段３２に記憶させる手段である。読取手段４２によれば、例えば図４に示すように、部分ディフェクトリストの更新が数度行われたことによってディフェクト管理エリア内に、１個のディフェクトリストを構成するのに必要のない部分ディフェクトリストが存在している場合でも、１個のディフェクトリストを構成するのに必要な部分ディフェクトリストを確実に選択することができ、選択した部分ディフェクトリストを結合して１個のディフェクトリストを再現することが可能となる。
（記録装置の第２実施形態）
本発明の記録装置の第２実施形態について説明する。図８は本発明の記録装置の第２実施形態を示している。図８に示す記録装置５０は、記録データを各位置に１度のみ記録可能であって、（ｉ）記録データを記録するデータエリアと、（ｉｉ）データエリアにおけるディフェクトが存在する場所に記録すべきであった記録データまたはその場所に記録された記録データを記録するスペアエリアと、（ｉｉｉ）データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を一時的に記録する一時的ディフェクト管理エリアと、（ｉｖ）ディフェクト管理情報を確定的に記録する確定的ディフェクト管理エリアとを備え、スペアエリアは複数の部分スペアエリアに分割されており、ディフェクトリストは複数の部分ディフェクトリストに分割されており、複数の部分スペアエリアと複数の部分ディフェクトリストとはそれぞれ対応している追記型記録媒体に記録データを記録する装置である。
記録装置５０は、記録装置３０と同様に、第１の記録手段３１、記憶手段３２、ディフェクト検出手段３３、第２の記録手段３４、リスト更新手段３５を備えている。さらに、記録装置５０は、第３の記録手段５１を備えている。
第３の記録手段５１は、記憶手段３２に記憶されたディフェクト管理情報に含まれる複数の部分ディフェクトリストの中からリスト更新手段３５により更新された部分ディフェクトリストを選択し、これを一時的ディフェクト管理エリアに記録する手段である。第３の記録手段５１は、部分ディフェクトリストを記録する場所が一時的ディフェクト管理エリアである点を除き、記録装置３０の第３の記録手段３６と同じである。
以上より、記録装置５０によれば、更新された部分ディフェクトリストのみを選択し、これを一時的ディフェクト管理エリアに記録する構成としたから、一時的ディフェクト管理エリアに記録する情報量を小さくすることができる。これにより、記録媒体に一時的ディフェクト管理エリアを広く設ける必要がなくなり、上述したように、記録容量の確保、および追記型記録媒体と書換型記録媒体との互換性を実現することができる。
（記録装置の第２実施形態の各種態様）
本発明の記録装置の第２実施形態の各種態様について説明する。図９は本発明の記録装置の第２実施形態の各種態様を示している。図９に示す記録装置６０のように、記録装置５０の各構成要素のほかに、指標情報付加手段４１を追加してもよい。
さらに、読取手段６１を追加してもよい。読取手段６１は、追記型記録媒体の一時的ディフェクト管理エリアに記録されたディフェクト管理情報に含まれる複数の部分ディフェクトリストを指標情報の指標に基づいて特定し、これら特定された複数の部分ディフェクトリストを読み取り、これら読み取った複数の部分ディフェクトリストを結合して、１個のディフェクトリストを形成し、これを記憶手段３２に記憶させる手段である。
さらに、第４の記録手段６２を追加してもよい。第４の記録手段６２は、記憶手段３２に記録された１個のディフェクトリストを確定的ディフェクト管理エリアに記録する手段である。第４の記録手段６２によれば、ディフェクトリストを確定的ディフェクト管理エリアに記録することにより、追記型記録媒体と書換型記録媒体との互換性を確立することができる。
さらに、ファイナライズ命令手段６３を追加してもよい。ファイナライズ命令手段６３は、追記型記録媒体に対しファイナライズを行うべき旨のファイナライズ命令を発する手段である。この場合、第４の記録手段６２は、ファイナライズ命令に応じて１個のディフェクトリストを確定的ディフェクト管理エリアに記録する。
なお、以上のような実施形態は、専用の装置としてハードウェアと一体的に構成する形態で実現してもよいし、コンピュータにプログラムを読み込ませることによって実現してもよい。
（記録方法の実施形態）
本発明の記録方法の実施形態について説明する。この記録方法は、記録データを各位置に１度のみ記録可能であって、（ｉ）記録データを記録するデータエリアと、（ｉｉ）データエリアにおけるディフェクトが存在する場所に記録すべきであった記録データまたはその場所に記録された記録データを記録するスペアエリアと、（ｉｉｉ）データエリアにおけるディフェクトが存在する位置、および当該ディフェクトが存在する場所に記録すべきであった記録データまたはその場所に記録された記録データを記録したスペアエリア内の位置を示すディフェクトリストを含むディフェクト管理情報を記録するディフェクト管理エリアとを備え、スペアエリアは複数の部分スペアエリアに分割されており、ディフェクトリストは複数の部分ディフェクトリストに分割されており、複数の部分スペアエリアと複数の部分ディフェクトリストとはそれぞれ対応している追記型記録媒体に記録データを記録する方法である。
そして、この記録方法は、ディフェクト管理情報を記憶する記憶工程と、記録データをデータエリアに記録する第１の記録工程と、データエリアのディフェクトを検出するディフェクト検出工程と、ディフェクト検出工程において検出されたディフェクトが存在するデータエリア内の場所に記録すべき記録データをいずれかの部分スペアエリア内に記録する第２の記録工程と、ディフェクト検出工程において検出されたディフェクトが存在する位置、および当該ディフェクトが存在する場所に記録すべきであった記録データを記録した部分スペアエリア内の位置を示す情報を当該部分スペアエリアに対応する部分ディフェクトリストに記録することにより、当該部分ディフェクトリストを更新するリスト更新工程と、記憶工程において記憶されたディフェクト管理情報に含まれる複数の部分ディフェクトリストの中からリスト更新工程において更新された部分ディフェクトリストを選択し、これをディフェクト管理エリアに記録する第３の記録工程とを備えている。
この記録方法によれば、更新された部分ディフェクトリストのみを選択し、これをディフェクト管理エリアに記録する構成としたから、ディフェクト管理エリアに記録する情報量を小さくすることができる。これにより、記録媒体にディフェクト管理エリアを広く設ける必要がなくなり、上述したように、記録容量の確保、および追記型記録媒体と書換型記録媒体との互換性を実現することができる。
【実施例】  以下、本発明の実施例を図面に基づいて説明する。以下の実施例は、本発明の追記型記録媒体を追記型光ディスクに適用し、本発明の記録装置をこの追記型光ディスク用の記録再生装置に適用した例である。
（記録媒体の実施例）
まず、本発明の実施例の追記型光ディスクの記録構造並びにその光ディスクに記録された情報およびデータについて説明する。図１０は本発明の実施例である追記型光ディスクの記録構造を示している。なお、図１０中の左側が追記型光ディスク１００の内周側であり、図１０中の右側が光ディスク１００の外周側である。
図１０に示すように、追記型光ディスク１００の記録面上には、その内周側にリードインエリア１０１が存在し、リードインエリア１０１の外周側にデータゾーン１０２が存在し、データゾーン１０２の外周側にリードアウトエリア１０３が存在する。さらに、リードインエリア１０１とデータゾーン１０２との間には、一時的ディフェクト管理エリア１０４が配置されている。さらに、データゾーン１０２とリードアウトエリア１０３との間には、一時的ディフェクト管理エリア１０５が配置されている。
リードインエリア１０１およびリードアウトエリア１０３には、それぞれ、光ディスク１００への情報ないしデータの記録・読取を制御および管理するための制御情報および管理情報等が記録される。リードインエリア１０１内には、確定的ディフェクト管理エリア１０６が設けられている。リードアウトエリア１０３内にも、確定的ディフェクト管理エリア１０７が設けられている。確定的ディフェクト管理エリア１０６および１０７には、それぞれ、ディフェクト管理情報１２０（図１１参照）が記録される。
データゾーン１０２には、画像データ、音声データ、コンテンツデータなどといった記録データが記録される。データゾーン１０２内には、ユーザデータエリア１０８が設けられ、その内周側と外周側に、それぞれスペアエリア１０９および１１０が設けられている。ユーザデータエリア１０８は記録データを記録するための主たる領域である。スペアエリア１０９および１１０は、ユーザデータエリア１０８内のディフェクトから記録データを退避させるための代替記録領域である。すなわち、記録再生装置２００により、ユーザデータエリア１０８のディフェクトが検出されると、そのディフェクトが存在する場所に記録すべきであった記録データまたはその場所に記録されていた記録データは、スペアエリア１０９または１１０に記録される。
図１１は、図１０中のデータゾーン１０２を拡大して示している。図１１に示すように、スペアエリ１０９は、２個の部分スペアエリア１０９Ａおよび１０９Ｂに分割されている。スペアエリア１１０は、２個の部分スペアエリア１１０Ａおよび１１０Ｂに分割されている。
本実施例では、ディフェクトが検出される度に、記録データが、部分スペアエリア１０９Ａ、１０９Ｂ、１１０Ａ、１１０Ｂの順序で記録されていく。すなわち、まず、記録データが部分スペアエリア１０９Ａに記録され、部分スペアエリア１０９Ａが記録データでいっぱいになったら、次に、部分スペアエリア１０９Ｂに記録され、部分スペアエリア１０９Ｂがいっぱいになったら、次に、部分スペアエリア１１０Ａに記録され、部分スペアエリア１１０Ａがいっぱいになったら、次に、部分スペアエリア１１０Ｂに記録される。
一時的ディフェクト管理エリア１０４および１０５には、それぞれ、ディフェクト管理情報１２０が一時的に記録される。
次に、ディフェクト管理情報１２０について説明する。ディフェクト管理情報１２０は、記録再生装置２００（図１４参照）により行われるディフェクト管理に用いられる情報である。記録再生装置２００は、光ディスク１００に記録データを記録するとき、または光ディスク１００から記録データを再生するときにディフェクト管理を行う。本実施例においてディフェクト管理とは、主に、光ディスク１００のユーザデータエリア１０８上に傷、塵埃または劣化等のディフェクトが存在するときに、そのディフェクトが存在する場所を避けて記録データを記録すると共に、本来そのディフェクトが存在する場所に記録すべきであった記録データ、またはその場所に記録された記録データをスペアエリア１０９または１１０に記録するといったものである。また、ユーザデータエリア１０８に記録された記録データを再生するときに、ディフェクトの存在する位置を認識し、ディフェクトの存在する位置に本来記録されるべきであったまたは記録されていた記録データを、スペアエリア１０９または１１０から読み取るといった処理もディフェクト管理の一環として行われる。このようなディフェクト管理を行うためには、記録再生装置２００がユーザデータエリア１０８内におけるディフェクトの存在位置等を認識する必要がある。ディフェクト管理情報１２０は、主として記録再生装置２００がディフェクトの存在位置等を認識するために用いられる。
図１２はディフェクト管理情報１２０の内容を示している。図１２に示すように、ディフェクト管理情報１２０には、設定情報１２１およびディフェクトリスト１２２が含まれている。
設定情報１２１には、図１２に示すように、ユーザデータエリア１０８の開始アドレス、ユーザデータエリア１０８の終了アドレス、内周側のスペアエリア１０９のサイズ、外周側のスペアエリア１１０のサイズ、その他の情報が含まれている。
ディフェクトリスト１２２は、図１２に示すように、４個の部分ディフェクトリスト１２２Ａないし１２２Ｄに分割されている。部分ディフェクトリスト１２２Ａは部分スペアエリア１０９Ａに対応し、部分ディフェクトリスト１２２Ｂは部分スペアエリア１０９Ｂに対応し、部分ディフェクトリスト１２２Ｃは部分スペアエリア１１０Ａに対応し、部分ディフェクトリスト１２２Ｄは部分スペアエリア１１０Ｂに対応している。
各部分ディフェクトリスト１２２Ａないし１２２Ｄには、ユーザデータエリア１０８内におけるディフェクトが存在する位置を示すアドレス（以下、これを「ディフェクトアドレス」と呼ぶ。）と、そのディフェクトが存在する場所に記録すべき記録データまたはその場所に記録された記録データの部分スペアエリア１０９Ａ、１０９Ｂ、１１０Ａまたは１１０Ｂ内における記録位置を示すアドレス（以下、これを「代替記録アドレス」と呼ぶ。）と、その他の情報とが記録されている。各部分ディフェクトリスト１２２Ａないし１２２Ｄに記録される代替記録アドレスは、当該部分ディフェクトリストに対応する部分スペアエリア１０９Ａ、１０９Ｂ、１１０Ａまたは１１０Ｂ内のいずれかの位置をしめすアドレスである。図１３は部分ディフェクトリスト１２２Ａの内容の一例を示している。
記録再生装置２００によりディフェクト検出されると、そのディフェクトのディフェクトアドレスと、それに対応する代替記録アドレスが部分ディフェクトリスト１２２Ａないし１２２Ｄのいずれかに記録される。本実施例では、ディフェクトが検出される度に、記録データが、部分スペアエリア１０９Ａ、１０９Ｂ、１１０Ａ、１１０Ｂの順序で記録されていくので、ディフェクトリストへのディフェクトアドレスおよび代替記録アドレスは、部分ディフェクトリスト１２２Ａ、１２２Ｂ、１２２Ｃ、１２２Ｄの順序で記録されていく。
また、各部分ディフェクトリスト１２２Ａないし１２２Ｄには、自らを特定するための識別子と、自らと対応する部分スペアエリアの開始アドレスとが管理情報（例えばヘッダ）として付されている（図示せず）。
さらに、部分ディフェクトリスト１２２Ｄには、スペアエリア１０９および１１０全体について空き領域の有無を示す空き領域情報が管理情報（例えばヘッダ）として付されている（図示せず）。
さらに、部分ディフェクトリスト１２２Ｄには、図１２に示すように、指標情報１２３が付加されている。指標情報１２３には、部分ディフェクトリスト１２２Ａないし１２２Ｃの識別子を示す情報が含まれている。この指標情報１２３は、光ディスク１００のイニシャライズ時に作成されたディフェクトリスト１２２の部分ディフェクトリスト１２２Ｄに付加されるほか、その後、ディフェクトが検出されたことにより更新された部分ディフェクトリストにも付加される（図３または図４参照）。
なお、ディフェクト管理は、光ディスク１００のユーザデータエリア１０８についてだけでなく、光ディスク１００の記録面全体について行うことも可能である。
次に、ディフェクト管理情報１２０の記録の態様について説明する。光ディスク１００の一時的ディフェクト管理エリア１０４および１０５と、確定的ディフェクト管理エリア１０６および１０７は、いずれも、ディフェクト管理情報１２０を記録するための領域であるが、一時的ディフェクト管理エリア１０４および１０５と、確定的ディフェクト管理エリア１０６および１０７は、配置されている位置が異なり、それぞれのサイズが異なり、利用目的も異なる。以下、具体的に両者の違いを説明する。
一時的ディフェクト管理エリア１０４および１０５は、光ディスク１００がファイナライズされるまでの間に、ディフェクト管理情報１２０を一時的に記録するための領域である。ディフェクト管理情報１２０は、ディフェクト管理に必要な情報であり、ディフェクトの存否・位置は個々の光ディスクごとに異なるため、ディフェクト管理情報は個々の光ディスク上に記録して保持しておく必要がある。本実施例では、ファイナライズ前の段階では、ディフェクト管理情報１２０は光ディスク１００の一時的ディフェクト管理エリア１０４または１０５に記録され、保持される。
光ディスク１００がファイナライズされるまでの間、ディフェクト管理情報１２０が数度更新される場合がある。例えば、１度目の記録と２度目の記録（追記）との間に、光ディスク１００に汚れが付着したような場合には、２度目の記録時にそのディフェクト（汚れ）が検出され、そのディフェクトが存在する場所に記録すべき記録データがいずれかの部分スペアエリア１０９Ａないし１１０Ｂに記録される。これに基づいて、新たに記録データが記録された部分スペアエリアア１０９Ａないし１１０Ｂのいずれかに対応する部分ディフェクトリストに、ディフェクトアドレスと代替記録アドレスが記録され、その部分ディフェクトリストが更新される。検出されたディフェクトがよほど大きくない限り、１回のディフェクト検出で更新されるのは、１個の部分ディフェクトリストである。１個の部分ディフェクトリストが更新されると、その更新された部分ディフェクトリストが一時的ディフェクト管理エリア１０４または１０５に追記される。光ディスク１００は追記型の記録媒体であるため、更新された部分ディフェクトリストを既存の場所に重ねて記録することはできない。そのため、更新された部分ディフェクトリストは、すでに一時的ディフェクト管理エリア１０４または１０５に記録されている部分ディフェクトリストの後に連続的に記録される（図３または図４参照）。
一方、確定的ディフェクト管理エリア１０６および１０７は、光ディスク１００がファイナライズされるときに、ディフェクト管理情報１２０を確定的に記録するための領域である。すなわち、ファイナライズ前の段階では、確定的ディフェクト管理エリア１０６および１０７は未記録状態である。ファイナライズされると、確定的ディフェクト管理エリア１０６および１０７にディフェクト管理情報１２０が記録され、それ以降、その記録状態が継続する。なお、確定的ディフェクト管理エリア１０６または１０７に記録されるディフェクトリスト１２２は、最新の部分ディフェクトリスト１２２Ａないし１２２Ｄから構成された１個のディフェクトリスト１２２である。
本実施例の光ディスク１００によれば、スペアエリア１０９および１１０を部分スペアエリア１０９Ａないし１１０Ｂに分割し、ディフェクトリスト１２２を部分ディフェクトリスト１２２Ａないし１２２Ｄに分割し、部分スペアエリア１０９Ａないし１１０Ｂと部分ディフェクトリスト１２２Ａないし１２２Ｄをそれぞれ対応させる構成としたから、ディフェクトが検出されたときには、更新された部分ディフェクトリストのみを光ディスク１００の一時的ディフェクト管理エリア１０４または１０５に追記すればよい。したがって、一時的ディフェクト管理エリア１０４および１０５に追記する情報量を少なくすることができ、一時的ディフェクト管理エリア１０４および１０５のサイズを小さくすることができる。
また、本実施例の光ディスク１００によれば、一時的ディフェクト管理エリア１０４をリードインエリア１０１とデータゾーン１０２との間に配置し、一時的ディフェクト管理エリア１０５をデータゾーン１０２とリードアウトエリア１０３との間に配置したから、追記型光ディスク１００と一般の書換型光ディスクとの間で互換性をとることができる。なぜなら、一般の書換型光ディスクとの互換性を実現するためには、リードインエリア、データゾーンおよびリードアウトエリアが存在すること、これらの領域の順序、配置、サイズ（広さ）等の基本的記録構造を維持する必要があるが、光ディスク１００では一時的ディフェクト管理エリア１０４および１０５を設けたにもかかわらず、かかる基本的記録構造を維持しているからである。すなわち、仮に一時的ディフェクト管理エリア１０４をリードインエリア１０１内に配置するとすれば、一時的ディフェクト管理エリア１０４は、書換型光ディスクのディフェクト管理エリアと比較して広くせざるを得ないので、リードインエリア１０１のサイズを拡張しなければならなくなる場合がある。しかし、本実施例では、一時的ディフェクト管理エリア１０４をリードインエリア１０１の外に配置したので、リードインエリアを拡張しないで済む。また、仮に一時的ディフェクト管理エリア１０４をデータゾーン１０２内に設けるとすれば、制御情報の性質を有するディフェクト管理情報１２０が、記録データを記録すべき領域であるデータゾーン１０２に入り込み、制御情報と記録データという性質の異なる情報がデータゾーン１０２内に混在するといった不都合が生じる。本実施例では、一時的ディフェクト管理エリア１０４をデータゾーン１０２の外に配置したので、かかる不都合は生じない。ディフェクト管理エリア１０５についても同様である。
また、ユーザデータエリア１０８の開始アドレスおよび終了アドレス、スペアエリア１０９のサイズ並びに１１０のサイズは、ディフェクト管理情報１２０の設定情報１２１に含まれている（図１２参照）。そして、この設定情報１２１は、記録再生装置２００により設定することができる。すなわち、ユーザデータエリア１０８の開始アドレスおよび終了アドレス、スペアエリア１０９のサイズ並びに１１０のサイズは、これを設定情報１２１として明示しておけば、変更することが許容されており、変更しても、一般の書換型記録媒体との互換性を維持することができる。したがって、ユーザデータエリア１０８の開始アドレスを後ろ（外周側）にずらせば、リードインエリア１０１とデータゾーン１０２との間にスペースを確保することができ、そのスペースに一時的ディフェクト管理エリア１０４を配置することができる。一時的ディフェクト管理エリア１０５についても同様である。
なお、ユーザデータエリア１０８の開始アドレスの設定の仕方によっては、比較的広い（大きなサイズの）一時的ディフェクト管理エリア１０４を確保することができる。しかし、一時的ディフェクト管理エリア１０４を広くすると、その分、ユーザデータエリア１０８が狭くなり、記録データの記録容量が減少するという不都合がある。この点、本実施例では、上述したように、一時的ディフェクト管理エリアに追記する情報量を小さくすることによって、一時的ディフェクト管理エリアを小さくできるので、かかる不都合を解消することができる。
また、本実施例の光ディスク１００によれば、リードインエリア１０１内およびリードアウトエリア１０３内にそれぞれ確定的ディフェクト管理エリア１０６および１０７を配置したから、追記型光ディスク１００と一般の書換型光ディスクとの間で互換性をとることができる。すなわち、一般の書換型光ディスクは、そのリードインエリア内およびリードアウトエリア内にそれぞれディフェクト管理情報を記録すべき領域が配置されている。そして、光ディスク１００も、そのリードインエリア１０１内およびリードアウトエリア１０３内に確定的ディフェクト管理エリア１０６および１０７が配置されている。かかる点において、両者の記録構造は一致している。したがって、追記型光ディスク１００と一般の書換型光ディスクとの間で互換性をとることができる。
（記録再生装置の実施例）
次に、本発明の実施例である記録再生装置の構成について説明する。図１４は本発明の実施例である記録再生装置２００を示している。記録再生装置２００は、光ディスク１００に記録データを記録する機能と、光ディスク１００に記録された記録データを再生する機能とを備えている。
記録再生装置２００は、ディスクドライブ３００と、バックエンド４００とを備えている。
図１５はディスクドライブ３００の内部構成を示している。ディスクドライブ３００は、光ディスク１００に情報を記録すると共に、光ディスク１００に記録された情報を読み取る装置である。
ディスクドライブ３００は、図１５に示すように、スピンドルモータ３５１、光ピックアップ３５２、ＲＦアンプ３５３およびサーボ回路３５４を備えている。
スピンドルモータ３５１は光ディスク１００を回転させるモータである。
光ピックアップ３５２は、光ディスク１００の記録面に対して光ビームを照射することによって記録データ等を記録面上に記録すると共に、光ビームの反射光を受け取ることによって記録面上に記録された記録データ等を読み取る装置である。光ピックアップ３５２は、光ビームの反射光に対応するＲＦ信号を出力する。
ＲＦアンプ３５３は、光ピックアップ３５２から出力されたＲＦ信号を増幅して、そのＲＦ信号を変調復調部３５５に出力する。さらに、ＲＦアンプ３５３は、ＲＦ信号から、ウォブル周波数信号ＷＦ、トラックエラー信号ＴＥおよびフォーカスエラー信号ＦＥを作り出し、これらを出力する。
サーボ回路３５４は、トラックエラー信号ＴＥ、フォーカスエラー信号ＦＥその他のサーボ制御信号に基づいて光ピックアップ３５２およびスピンドルモータ３５１の駆動を制御するサーボ制御回路である。
さらに、ディスクドライブ３００は、図１５に示すように、変調復調部３５５、バッファ３５６、インターフェース３５７および光ビーム駆動部３５８を備えている。
変調復調部３５５は、読取時において記録データに対してエラー訂正を行う機能と、記録時において記録データにエラー訂正符号を付加してこれを変調する機能とを備えた回路である。具体的には、変調復調部３５５は、読取時においては、ＲＦアンプ３５３から出力されるＲＦ信号を復調し、これに対してエラー訂正を行った後、これをバッファ３５６に出力する。さらに、変調復調部３５５は、復調されたＲＦ信号に対してエラー訂正を行った結果、エラー訂正が不能であるときには、その旨を示すエラー訂正不能信号を生成し、これをディフェクト検出部３５９に出力する。また、変調復調部３５５は、記録時においては、バッファ３５６から出力される記録データにエラー訂正符号を付加した後、これを、光ディスク１００の光学的特性等に適合する符号となるように変調し、変調された記録データを光ビーム駆動部３５８に出力する。
バッファ３５６は、記録データを一時的に蓄える記憶回路である。
インターフェース３５７は、ディスクドライブ３００とバックエンド４００との間の記録データ等の入出力制御ないし通信制御を行う回路である。具体的には、インターフェース３５７は、再生時においては、バックエンド４００からの要求命令に応じて、バッファ３５６から出力される記録データ（すなわち光ディスク１００から読み取られた記録データ）をバックエンド４００へ出力する。また、インターフェース３５７は、記録時においては、バックエンド４００からディスクドライブ３００に入力される記録データを受け取り、これをバッファ３５６に出力する。さらに、インターフェース３５７は、バックエンド４００からの要求命令に応じて、ディフェクト管理情報作成部３６０に保持されているディフェクトリストの全部または一部をバックエンド４００に出力する。
光ビーム駆動部３５８は、記録時において、変調復調部３５５から出力された記録データに対応する光ビーム駆動信号を生成し、これを光ピックアップ３５２に出力する。光ピックアップ３５２は、光ビーム駆動信号に基づいて光ビームを変調し、光ディスク１００の記録面に照射する。これにより、記録データ等が記録面上に記録される。
さらに、ディスクドライブ３００は、図１５に示すように、ディフェクト検出部３５９およびディフェクト管理情報作成部３６０を備えている。
ディフェクト検出部３５９は、光ディスク１００のディフェクトを検出する回路である。そして、ディフェクト検出部３５９は、ディフェクトの存否を示すディフェクト検出信号を生成し、これを出力する。ディフェクト検出部３５９は、情報の読取時（ベリファイ時または再生時）における記録データのエラー訂正の結果に基づいて、ディフェクト検出を行う。上述したように、変調復調部３５５は、復調されたＲＦ信号に対してエラー訂正を行った結果、エラー訂正が不能であるときには、その旨を実質的に示すエラー訂正不能信号を生成し、これをディフェクト検出部３５９に出力する。ディフェクト検出部３５９は、このエラー訂正不能信号を受け取ったときに、ディフェクトが存在していることを示すディフェクト検出信号を出力する。
ディフェクト管理情報作成部３６０は、ディフェクト検出部３５９から出力されたディフェクト検出信号に基づいて、ディフェクト管理情報１２０を作成し、または更新する回路である。ディフェクト管理情報１２０は、ディフェクト管理情報作成部３６０内に設けられた記憶回路に書換可能な状態で記憶される。さらに、ディフェクト管理情報作成部３６０は、バックエンド４００からの要求命令に応じて、ディフェクト管理情報１２０をインターフェース３５７を介してバックエンド４００に出力する。
さらに、図１５に示すように、ディスクドライブ３００はＣＰＵ３６１を有している。ＣＰＵ３６１は、ディスクドライブ３００の全体的な制御および上述したディスクドライブ３００内の各要素間の情報のやり取りを制御する。さらに、ＣＰＵ３６１は、記録データおよびディフェクト管理情報１２０の記録動作および読取動作を制御する。さらに、ＣＰＵ３６１は、バックエンド４００から送られる制御命令ないし要求命令に応じて、ディスクドライブ３００とバックエンド４００との間のデータのやり取りを制御する。
次に、図１６はバックエンド４００の内部構成を示している。バックエンド４００は、ディスクドライブ３００によって光ディスク１００から読み取られた記録データに対して再生処理を行うと共に、光ディスク１００に記録する目的で外部から供給された記録データを受け取り、これを圧縮（エンコード）してディスクドライブ３００に送り出す装置である。
バックエンド４００は、ドライブ制御部４７１、ビデオデコーダ４７２、オーディオデコーダ４７３、ビデオエンコーダ４７４、オーディオエンコーダ４７５、システム制御部４７６およびディフェクト管理部４７７を備えている。
ドライブ制御部４７１は、ディスクドライブ３００の読取処理および記録処理を制御する回路である。記録データを光ディスク１００から読み取ってそれを再生する作業、および記録データを外部から受け取ってそれを光ディスク１００に記録する作業は、バックエンド４００とディスクドライブ３００とが協働して行う。ドライブ制御部４７１は、ディスクドライブ３００の読取処理および記録処理を制御することにより、バックエンド４００とディスクドライブ３００との協働を実現する。具体的には、ドライブ制御部４７１は、ディスクドライブ３００に対して、読取、記録、バッファ３５６から記録データの出力、ディフェクト管理情報作成部３６０からのディフェクト管理情報１２０の出力などに関する要求命令を出力する。さらに、ドライブ制御部３７１は、記録データおよびディフェクト管理情報１２０その他各種情報の入力・出力を制御する入出力制御を行う。
ビデオデコーダ４７２およびオーディオデコーダ４７３は、それぞれ、ディスクドライブ３００により光ディスク１００から読み取られ、ドライブ制御部４７１を介して供給された記録データを復調し、記録データをディスプレイ、スピーカなどにより再生可能な状態に変換する回路である。
ビデオエンコーダ４７４およびオーディオエンコーダ４７５は、それぞれ、光ディスク１００に記録する目的で外部から入力された映像信号、音声信号等を受け取り、これを例えばＭＰＥＧ圧縮方式等により圧縮し、これを、ドライブ制御部４７１を介してディスクドライブ３００に供給する回路である。
システム制御部４７６は、再生時には、ドライブ制御部４７１、ビデオデコーダ４７２、オーディオデコーダ４７３、ディフェクト管理部４７７を制御し、これらと協働して記録データの再生処理を行う回路である。また、記録時には、システム制御部４７６は、ドライブ制御部４７１、ビデオエンコーダ４７４、オーディオエンコーダ４７５、ディフェクト管理部４７７を制御し、これらと協働して記録データの記録処理を行う。また、システム制御部４７６は、再生時および記録時において、ディスクドライブ３００とバックエンド４００との協働を実現するために、ドライブ制御４７１と共に、ディスクドライブ３００に対する制御（例えば各種要求命令の生成・送信、応答信号の受信など）を行う。
ディフェクト管理部４７７は、その内部に記憶回路を有しており、ディスクドライブ３００のディフェクト管理情報作成部３６０により作成・更新されたディフェクト管理情報１２０の全部または一部を受け取り、これを保持する機能を備えている。そして、ディフェクト管理部４７７はシステム制御部４７６と共に、ディフェクト管理を行う。
次に、記録再生装置２００における初期設定動作について説明する。図１７は記録再生装置２００の初期設定動作を示している。記録再生装置２００は、光ディスク１００がドライブユニット３００に装着されてから、記録データの記録または再生を行うまでの間に、初期設定を行う。初期設定は、記録データの記録または再生の準備をするための処理であり、様々な処理を含んでいるが、以下、これらの処理のうち、光ディスク１００のイニシャライズ、ディフェクト管理情報１２０の作成、およびディフェクト管理情報１２０のバックエンドへの送出等について説明する。これらの処理は、主としてドライブユニット３００のＣＰＵ３６１の制御のもとに行われる。
図１７に示すように、光ディスク１００がドライブユニット３００に装着されると、ドライブユニット３００のＣＰＵ３６１は、光ディスク１００が未記録ディスク（ブランクディスク）であるか否かを判定する（ステップＳ１１）。
光ディスク１００が未記録ディスクであるときには（ステップＳ１１：ＹＥＳ）、ＣＰＵ３６１は、光ディスク１００に対してイニシャライズ処理を行う（ステップＳ１２）。このイニシャライズ処理において、ディフェクト管理情報作成部３６０は、ディフェクト管理情報１２０を作成する（ステップＳ１３）。具体的には、イニシャライズ処理の中で設定されたユーザデータエリア１０８の開始アドレスおよび終了アドレス並びにスペアエリア１０９および１１０のサイズを取得し、設定情報１２１を作成する。
さらに、ディフェクト管理情報作成部３６０は、ディフェクトリスト１２２を作成する。なお、ここで作成されるディフェクトリスト１２２は、外枠のみであり、内実はない。すなわち、ディフェクトアドレスは記録されておらず、具体的な代替記録アドレスも記録されていない。しかし、ディフェクトリスト１２２は、部分ディフェクトリスト１２２Ａないし１２２Ｄに分割されており、それぞれの部分ディフェクトリスト１２２Ａないし１２２Ｄは、部分スペアエリア１０９Ａないし１１０Ｂに対応している。この対応関係を明らかにするために、各部分ディフェクトリストには、それに対応する部分スペアエリアの開始アドレスが管理情報（例えばヘッダ）として記録される。さらに、各部分ディフェクトリストには自らを特定するための識別子が管理情報（例えばヘッダ）として記録される。さらに、部分ディフェクトリスト１２２Ｄには、スペアエリア１０９および１１０全体について空き領域の有無を示す空き領域情報が管理情報（例えばヘッダ）として記録される。イニシャライズの段階では、当然、スペアエリア１０９および１１０はすべて空いているので、空き領域情報は、「空き領域有り」を示すものである。作成されたディフェクト管理情報１２０はディフェクト管理情報作成部３６０内に記憶保持される。
続いて、ディフェクト管理情報作成部３６０は、部分ディフェクトリスト１２２Ｄに指標情報１２３を付加する（ステップＳ１４）。
続いて、ＣＰＵ３６１は、ディフェクト管理情報作成部３６０内に記憶されたディフェクト管理情報１２０をバックエンド４００に送る（ステップＳ１５）。ディフェクト管理情報１２０はバックエンド４００のディフェクト管理部４７７に記憶される。
続いて、ＣＰＵ３６１は、ディフェクト管理情報作成部３６０内に記憶されたディフェクト管理情報１２０を光ディスク１００の一時的ディフェクト管理エリア１０４または１０５に記録する（ステップＳ１６）。
一方、光ディスク１００が未記録ディスクでない場合には（ステップＳ１１：ＮＯ）、続いて、ＣＰＵ３６１は、光ディスク１００がファイナライズ済みか否かを判定する（ステップＳ１７）。ファイナライズとは、主に、光ディスク１００を一般の書換型光ディスク用の再生装置や、一般の再生専用型光ディスク用の再生装置によって再生できるように、記録フォーマットを整えるための処理である。光ディスク１００がファイナライズ済みか否かは、光ディスク１００のリードインエリア１０１等に記録された制御情報を参照することにより、知ることができる。
光ディスク１００がファイナライズ済みでない場合には（ステップＳ１７：ＮＯ）、ＣＰＵ３６１は、ディフェクト管理情報１２０を光ディスク１００の一時的ディフェクト管理エリア１０４または１０５から読み取る（ステップＳ１８）。
ここで、ステップＳ１８における読取動作について説明する。光ディスク１００が未記録ディスクでない場合には、イニシャライズのときに作成されたディフェクト管理情報１２０が一時的ディフェクト管理エリア１０４または１０５に記録されている。また、ファイナライズ前の段階ですでに１度ないし数度部分ディフェクトリストが更新されている場合には、１個ないし数個の部分ディフェクトリストが一時的ディフェクト管理エリア１０４または１０５に追記されている。更新により追記された部分ディフェクトリストは、一時的ディフェクト管理エリア１０４または１０５に、更新された順序で連続的に並んで配列されている。したがって、一時的ディフェクト管理エリア１０４または１０５の中で、一番最後に配置されている部分ディフェクトリストが最新の部分ディフェクトリストである（図３または図４参照）。そこで、ＣＰＵ３６１は、まず、一番最後に配置されている部分ディフェクトリストを選択する。
本実施例では、一番最後に配置されている部分ディフェクトリストを特定するために、次のような方法を採用している。すなわち、一時的ディフェクト管理エリア１０４または１０５に複数の部分ディフェクトリストが連続的に並んで記録されている場合、一時的ディフェクト管理エリア１０４または１０５の開始アドレスから、最後の部分ディフェクトリストが記録された領域の終端アドレスまでは情報が記録され、それ以降は未記録である。そこで、ＣＰＵ３６１は、光ピックアップ３５２を制御して、一時的ディフェクト管理エリア１０４または１０５内をその開始アドレスからスキャンし、未記録状態となった位置を検出し、その位置から一時的ディフェクト管理エリア１０４または１０５内を逆方向にスキャンする。このようにして、最後の部分ディフェクトリストを特定する。
続いて、ＣＰＵ３６１は、最後の部分ディフェクトリストに付加された指標情報１２３を参照し、この指標情報１２３に含まれている識別子を参照し、これら識別子が付された部分ディフェクトリストを一時的ディフェクト管理エリア１０４および１０５の中から探し出し、これらの部分ディフェクトリストを特定する。続いて、ＣＰＵ３６１は、これら特定した部分ディフェクトリストと、前記最後の部分ディフェクトリストと、設定情報１２１とを、一時的ディフェクト管理エリア１０４または１０５から読み取る。さらに、ＣＰＵ３６１は、読み取ったこれらの部分ディフェクトリストおよび設定情報１２１をディフェクト管理情報作成部３６０内に記憶させる。
以上のような読取動作により読み取られ、ディフェクト管理情報作成部３６０内に記録された部分ディフェクトリストは、最新の１個のディフェクトリストを構成する部分ディフェクトリスト１２２Ａないし１２２Ｄである。すなわち、この読取動作により、最新の１個のディフェクトリストがディフェクト管理情報作成部３６０内に記憶されるのである。
続いて、ＣＰＵ３６１は、ディフェクト管理情報作成部３６０内に記憶されたディフェクトリスト１２２および設定情報１２１（すなわち最新のディフェクト管理情報１２０）をバックエンド４００に送る（ステップＳ１９）。最新のディフェクト管理情報１２０は、バックエンド４００のディフェクト管理部４７７に記憶される。
一方、光ディスク１００が未記録ディスクでなく、かつファイナライズ済みである場合には（ステップＳ１７：ＹＥＳ）、ＣＰＵ３６１は、ディフェクト管理情報１２０を確定的ディフェクト管理エリア１０６または１０７から読み取り（ステップＳ２０）、ディフェクト管理情報作成部３６０に記憶し、さらにこれをバックエンド４００に送る（ステップＳ２１）。ディフェクト管理情報１２０は、バックエンド４００のディフェクト管理部４７７に記憶される。
以上より、ディフェクト管理情報１２０が作成され、あるいは最新のディフェクト管理情報１２０が一時的ディフェクト管理エリア１０４または１０５から読み取られ、あるいはディフェクト管理情報１２０が確定的ディフェクト管理エリア１０６または１０７から読み取られ、ディフェクト管理情報作成部３６０内に記憶されると共に、バックエンド４００のディフェクト管理部４７７に記憶される。これにより、ディフェクト管理の準備が整い、初期設定が終了する。
次に、記録再生装置２００の記録動作について説明する。図１８は主に記録再生装置２００の記録動作を示している。記録再生装置２００は、記録データを光ディスク１００のユーザデータエリア１０８に記録する記録動作を行う。記録再生装置２００は、ディフェクト管理を行いながら記録動作を行う。さらに、記録再生装置２００は、記録動作の中でベリファイ処理を行い、このベリファイ処理の結果に基づいて部分ディフェクトリスト１２２Ａないし１２２Ｄのいずれかを更新する。記録動作は、ドライブユニット３００のＣＰＵ３６１とバックエンド４００のシステム制御部４７６の協働によって実現する。
図１８に示すように、イジェクト、ファイナライズ又は光ディスク１００からの記録データの再生の指示が与えられたか否かを判定した後に（ステップＳ３１、Ｓ３２及びＳ３３）、ユーザが記録開始の指示を入力すると（ステップＳ３４：ＹＥＳ）、これに応じて、記録再生装置２００は記録データを記録する（ステップＳ３５）。記録データの記録は所定のブロックごとに行われる。記録再生装置２００は、バックエンド４００のディフェクト管理部４７７に記憶されたディフェクト管理情報１２０を参照し、これに基づいてディフェクト管理を行いながら、記録データを記録する。
記録再生装置２００は、１ブロックの記録を行う度に、ベリファイを行い（ステップＳ３６）、ベリファイの結果に基づいて、部分ディフェクトリスト１２２Ａないし１２２Ｄのいずれかを更新する。なお、更新される部分ディフェクトリスト１２２Ａないし１２２Ｄは、ドライブニット３００のディフェクト管理情報作成部３６０内に記憶された部分ディフェクトリストである。具体的には、ベリファイの結果、記録データの記録に失敗したことを認識したときには（ステップＳ３７：ＹＥＳ）、ドライブユニット３００のＣＰＵ３６１は、当該記録に失敗した記録データを部分スペアエリア１０９Ａないし１１０Ｂのいずれかに記録する（ステップＳ３８）。続いて、ＣＰＵ３６１は、今、記録データを記録した部分スペアエリアに対応する部分ディフェクトリストに、ディフェクトアドレスおよび代替記録アドレスを記録し、当該部分ディフェクトリストを更新する（ステップＳ３９）。
今回記録すべき記録データの一連のブロックについて上記ステップＳ３５ないしＳ３９の処理が終了したとき、ＣＰＵ３６１は、更新した部分ディフェクトリストに指標情報１２３を付加し（ステップＳ４１）、当該部分ディフェクトリストと指標情報１２３を光ディスク１００の一時的ディフェクト管理エリア１０４または１０５に記録する（ステップＳ４１）。なお、ここで一時的ディフェクト管理エリア１０４または１０５に記録される部分ディフェクトリストは、ディフェクト管理情報作成部３６０内に記憶された部分ディフェクトリストである。以上で、記録動作は完了する。
次に、記録再生装置２００におけるファイナライズ処理について説明する。図１９はファイナライズ処理を示している。例えばユーザがファイナライズ処理を行う旨の指示を入力すると（図１８中のステップＳ３２：ＹＥＳ）、図１９に示すように、記録再生装置２００は、光ディスクがファイナライズ済みでないことを確認した上で（ステップＳ５１：ＮＯ）、その光ディスク１００に対してファイナライズ処理を行う（ステップＳ５２）。ファイナライズ処理の際に、記録再生装置２００は、ディフェクト管理情報１２０を光ディスク１００の確定的ディフェクト管理エリア１０６または１０７に記録する（ステップＳ５３）。なお、ここで確定的ディフェクト管理エリア１０６または１０７に記録されるディフェクト管理情報１２０は、ディフェクト管理情報作成部３６０内に記憶されたディフェクト管理情報１２０である。以上で、ファイナライズ処理は完了する。
次に、ユーザが記録再生装置２００から光ディスク１００をイジェクトする指示を入力したときには（図１８中のステップＳ３１：ＹＥＳ）、図２０に示すように、記録再生装置２００は、直ちに、光ディスク１００をイジェクトする（ステップＳ６１）。
次に、記録再生装置２００の再生動作について説明する。図２１は記録再生装置２００の再生動作を示している。
ユーザが再生開始の指示を入力すると（図１８のステップＳ３３：ＹＥＳ）、図２１に示すように、記録再生装置２００は、光ディスク１００が未記録ディスクでないことを確認した上で（ステップＳ７１：ＮＯ）、光ディスク１００のユーザデータエリア１０８に記録された記録データを再生する（ステップＳ７２）。記録再生装置２００は、バックエンド４００のディフェクト管理４７７に記憶されたディフェクト管理情報１２０に基づいてディフェクト管理を行いながら、記録データの再生を行う。
以上より、本実施例の記録再生装置２００によれば、光ディスク１００をファイナライズする前においては、ディフェクト管理情報１２０（部分ディフェクトリスト１２２Ａないし１２２Ｄ）を光ディスク１００の一時的ディフェクト管理エリア１０４または１０５に記録し、光ディスク１００をファイナライズするときには、ディフェクト管理情報１２０を光ディスク１００の確定的ディフェクト管理エリア１０６または１０７に記録する。また、ファイナライズされていない光ディスク１００に対しては、ディフェクト管理情報１２０を光ディスク１００の一時的ディフェクト管理エリア１０４または１０５から読み取り、ファイナライズ済みの光ディスク１００に対しては、ディフェクト管理情報１２０を光ディスク１００の確定的ディフェクト管理エリア１０６または１０７から読み取る。これにより、ファイナライズ前の光ディスク１００に対しても、ファイナライズ済みの光ディスク１００に対しても、適切なディフェクト管理を行いながら、記録データの記録または再生を実現することができる。
特に、本実施例の記録再生装置２００によれば、ファイナライズ前の段階では更新された部分ディフェクトリストのみを一時的ディフェクト管理エリア１０４または１０５に記録する構成としたから、一時的ディフェクト管理エリア１０４または１０５に記録する情報量を小さくすることができる。
また、イニシャライズのときに作成された部分ディフェクトリスト１２２Ｄ、または更新された部分ディフェクトリストに指標情報１２３を付加し、この指標情報１２３に、最新の１個のディフェクトリストを構成する残余の部分ディフェクトリストの識別子を示す情報を含める構成としたから、一時的ディフェクト管理エリア１０４または１０５に記録された複数の部分ディフェクトリストの中から、最新の１個のディフェクトリストを構成する部分ディフェクトリストのみを容易に特定でき、これらを読み取ることができる。
また、本実施例の記録再生装置２００によれば、ファイナライズ処理の際に、ディフェクト管理情報１２０を光ディスク１００の確定的ディフェクト管理エリア１０６または１０７に記録する構成としたから、追記型光ディスク１００と一般の書換型光ディスクとの間の互換性を確立することができる。
なお、上述した実施例では、本発明の追記型記録媒体を一層の光ディスクに適用した場合を例に挙げたが、本発明はこれに限らず、２層以上の光ディスクにも適用することができる。図２２は本発明の追記型記録媒体を２層光ディスクに適用した場合の例を示している。図２２中の２層光ディスク１５０の第１層（図２２中の上段）には、光ディスク１００と同様に、リードインエリア１５１、データゾーン１５２、リードアウトエリア１５３が設けられ、リードインエリア１５１とデータゾーン１５２との間には一時的ディフェクト管理エリア１５４が設けられ、データゾーン１５２とリードアウトエリア１５３との間には一時的ディフェクト管理エリア１５５が設けられている。さらに、リードインエリア１５１内およびリードアウトエリア１５３内にはそれぞれ確定的ディフェクト管理エリア１５４および１５７が設けられ、データゾーン１５２内にはユーザデータエリア１５８、スペアエリア１５９およびスペアエリア１６０が設けられている。第２層にも、光ディスク１００と同様に、リードインエリア１７１、データゾーン１７２、リードアウトエリア１７３が設けられ、リードインエリア１７１とデータゾーン１７２との間には一時的ディフェクト管理エリア１７４が設けられ、データゾーン１７２とリードアウトエリア１７３との間には一時的ディフェクト管理エリア１７５が設けられている。さらに、リードインエリア１７１内およびリードアウトエリア１７３内にはそれぞれ確定的ディフェクト管理エリア１７４および１７７が設けられ、データゾーン１７２内にはユーザデータエリア１７８、スペアエリア１７９およびスペアエリア１８０が設けられている。
また、本発明は、請求の範囲および明細書全体から読み取るこのできる発明の要旨または思想に反しない範囲で適宜変更可能であり、そのような変更を伴う追記型記録媒体、記録装置、再生装置、記録方法、再生方法並びにこれらの機能を実現するコンピュータプログラムもまた本発明の技術思想に含まれる。
【産業上の利用可能性】  本発明に係る追記型記録媒体、追記型記録媒体用の記録装置および記録方法、並びにこれらの機能を実現するコンピュータプログラムは、例えば、光ディスク、磁気ディスク、光磁気ディスク等の高密度記録媒体に利用可能である。また、例えば各種コンピュータ機器に搭載される又は各種コンピュータ機器に接続可能な、記録媒体、記録再生装置等にも利用可能である。
【図１】
2004077433.tif 000003
【図２】
2004077433.tif 000004
【図３】
2004077433.tif 000005
【図４】
2004077433.tif 000006
【図５】
2004077433.tif 000007
【図６】
2004077433.tif 000008
【図７】
2004077433.tif 000009
【図８】
2004077433.tif 000010
【図９】
2004077433.tif 000011
【図１０】
2004077433.tif 000012
【図１１】
2004077433.tif 000013
【図１２】
2004077433.tif 000014
【図１３】
2004077433.tif 000015
【図１４】
2004077433.tif 000016
【図１５】
2004077433.tif 000017
【図１６】
2004077433.tif 000018
【図１７】
2004077433.tif 000019
【図１８】
2004077433.tif 000020
【図１９】
2004077433.tif 000021
【図２０】
2004077433.tif 000022
【図２１】
2004077433.tif 000023
【図２２】
2004077433.tif 000024
【国際調査報告】
2004077433.tif 000025
2004077433.tif 000026